(57)【要約】【課題】留守番電話機能又は簡易ページャ機能を有する電話機における操作性を大幅に向上させる。【解決手段】着呼があった場合に通常の通話を行なう第１のモード１２１と、着呼があった場合に予め登録されているメッセージを用いて発信電話機２に対して自動応答する第２のモード１２２とを有し、これらのモードの切替えが可能なモード切替え式電話機１であって、通信相手に応じた識別情報に対応して前記第１のモード１２１又は前記第２のモード１２２を設定する識別情報対モード設定手段２８と、着呼してきた通信相手の識別情報と該識別情報対モード設定手段２８で設定されている識別情報とを比較する比較手段１５Ｄと、該比較手段１５Ｄでの比較結果に基づき、前記第２のモード１２２及び前記第１のモード１２１の設定・解除を行なう制御手段２４Ｄとをそなえて構成する。【選択図】図６
2010263648.tif 000002
【特許請求の範囲】
【請求項１】
着呼があった場合に通常の通話を行なう第１のモードと、着呼があった場合に予め登録されているメッセージを用いて発信電話機に対して自動応答する第２のモードとを有し、これらのモードの切替えが可能なモード切替え式電話機であって、
通信相手に応じた識別情報に対応して前記第１のモード又は前記第２のモードを設定する識別情報対モード設定手段と、
着呼してきた通信相手の識別情報と該識別情報対モード設定手段で設定されている識別情報とを比較する比較手段と、
該比較手段での比較結果に基づき、前記第２のモード及び前記第１のモードの設定・解除を行なう制御手段とをそなえて構成されたことを特徴とする、モード切替え式電話機。
【発明の詳細な説明】
【技術分野】
【０００１】
本発明は、モード切替え式電話機に関する。
近年、一般家庭などに設置されている電話機には、加入者の不在などにより着信呼に応答できない場合に、この着信呼に自動的に応答して加入者が不在である旨のメッセージを発信者に対して通知するとともに発信者からの着信内容（メッセージなど）を録音するといった留守番電話機能を有するものが広く普及してきている。
【０００２】
また、同様に、携帯電話などに代表される移動体通信システムで用いられる携帯型端末装置も、近年、急速に普及しつつあるが、特に、携帯電話などでは、発信者の電話番号などの発信情報を液晶ディスプレイなどの表示器に表示できる簡易ページャ機能（簡易ページャモード）や上述の留守番電話機能（留守録モード）をもったものが一般的になりつつある。
【０００３】
そして、このような携帯電話などにおいては、より簡単な操作で留守録モードなどのモードの切替えが可能なものが必要とされてきている。
【背景技術】
【０００４】
一般的に、留守番電話機能又は簡易ページャ機能を有する携帯電話などの端末において、端末を留守録モードに切替える際には、留守録オン・オフキーなどの専用のファンクションキーを押下するか、あるいはいくつかのキー（例えば、ファンクションキーと留守録モード設定用キーなど）を連続して押下するといった所要のキー操作により、留守録モードの設定／解除などを行なうようになっている。
【０００５】
すなわち、図４４（ａ）に示すように、留守録モードを設定する場合は、まず、ファンクションキーなどの機能キーを押下し（ステップＡ１）、続いて留守録モード設定用のキーを押下することにより（ステップＡ２）、留守録モードが設定される（ステップＡ３）。
一方、図４４（ｂ）に示すように、留守録モードを解除する場合は、まずファンクションキーなどの機能キーを押下し（ステップＢ１）、続いて留守録モード解除用のキーを押下することにより（ステップＢ２）、留守録モードが解除されるようになっている（ステップＢ３）。
【発明の概要】
【発明が解決しようとする課題】
【０００６】
しかしながら、上述のようなモードの切替え方法では、上述のように、ファンクションキーや留守録モード設定／解除用などのキーを用いて、予めある手順によって留守録モードに設定しておかなければこの機能は動作しないので、着呼時にユーザが何らかの事情により、この着呼に応答できない場合に、すぐに留守録モードに切替えることができずに大事なメッセージなどを逃してしまうという課題がある。
【０００７】
また、例えば、端末の呼出音のボリュームを"０"（サイレントアラートモード）にしていたときに着呼があっても、予め、留守録モードに設定しておかなければ留守録機能は動作しないので、着信があったことを気づかずにこの着呼に応答できなかったりするという課題もある。
本発明は、このような課題に鑑み創案されたもので、留守番電話機能や簡易ページャ機能などの留守モードを有する電話機において、常に、確実に着呼に応答してメッセージなどのその内容を蓄積・録音させることができるようにするとともに、かかる電話機の操作性も大幅に向上させることができるようにした、モード切替え式電話機を提供することを目的とする。
【課題を解決するための手段】
【０００８】
本発明では、例えば、着呼があった場合に通常の通話を行なう第１のモードと、着呼があった場合に予め登録されているメッセージを用いて発信電話機に対して自動応答する第２のモードとを有し、これらのモードの切替えが可能なモード切替え式電話機であって、通信相手に応じた識別情報に対応して前記第１のモード又は前記第２のモードを設定する識別情報対モード設定手段と、着呼してきた通信相手の識別情報と該識別情報対モード設定手段で設定されている識別情報とを比較する比較手段と、該比較手段での比較結果に基づき、前記第２のモード及び前記第１のモードの設定・解除を行なう制御手段とをそなえて構成された、モード切替え式電話機を用いることができる。
【０００９】
ここで、図１は本発明の関連技術を示すブロック図で、この図１において、１，２はそれぞれネットワーク３を介して通信を行なうモード切替え式電話機であり、電話機１は、送受信部１１を通じて着呼があった場合に通常の通話を行なう第１のモード１２１と、着呼があった場合に発信電話機２に対しメッセージを送出してから発信電話機２からの情報を蓄積する第２のモード１２２とを有し、これらのモード１２１，１２２の切替えがモード切替え部１２にて可能になっている。
【００１０】
また、この図１に示すように、電話機１は、比較手段１５，制御手段１６，第２のモード１２２下で発信電話機２からの情報を蓄積するメモリ１７，呼出し音調整用ボリューム１８，マイク１９，スピーカ２０及び呼出し音を送出するブザー２１を有して構成される。
ここで、比較手段１５は、電話機１の呼出し音調整用ボリューム１８のボリューム値と、第２のモード設定用ボリューム値１４とを比較するものである。
【００１１】
また、制御手段１６は、上述の比較手段１５での比較結果に基づき、呼出し音調整用ボリューム１８の値が第２のモード設定用ボリューム値１４以下に設定されていると判定された場合には、第１のモード１２１から第２のモード１２２に切替えるものである。
このような構成により、上述のモード切替え式電話機１では、モードの切替えを行なうことにより、第１のモード１２１では通常の通話が行なわれ、第２のモード１２２では発信電話機２に対しメッセージを送出してからこの発信電話機２からの情報がメモリ１７に蓄積される。
【００１２】
ここで、上述のごとく構成された電話機１における第２のモード１２２への切替え（設定）は、次のようにして行なわれる。すなわち、まず、呼出し音調整用ボリューム１８の値と第２のモード設定用ボリューム値１４とが比較手段１５で比較され、この結果、呼出し音調整用ボリューム１８の値が第２のモード設定用ボリューム値１４以下の場合には、制御手段１６により、電話機１のモードが第１のモード１２１から第２のモード１２２に切替えられる。
【００１３】
また、このとき比較手段１５で、電話機１の呼出し音調整用ボリューム１８の値と、第１のモード設定用ボリューム値１３，第２のモード設定用ボリューム値１４とが比較される場合、呼出し音調整用ボリューム１８の値が第２のモード設定用ボリューム値１４以下の場合には、第２のモード１２２が設定されるとともに、呼出し音調整用ボリューム１８の値が第１のモード設定用ボリューム値１３以上の場合には、第１のモード１２１が設定される。
【００１４】
具体的には、第２のモード設定用ボリューム値１４を、呼出音がゼロに相当する値に設定しておけば、呼出し音調整用ボリューム１８の値がゼロに設定されると、第２のモード１２２が設定される。
さらに、このとき、第２のモード１２２下でメモリ１７への情報蓄積動作を実行するまでに鳴動させる呼出し音の回数を、呼出し音調整用ボリューム１８の値に応じて設定してもよく、これにより、呼出し音調整用ボリューム１８の値に応じて第２のモード１２２下でメモリ１７への情報蓄積動作を実行するまでに鳴動させる呼出し音の回数を設定することができる。
【００１５】
また、電話機１が第２のモード１２２に予め設定されている場合は、電話機１の呼出し音調整用ボリューム１８の値とは無関係に、この第２のモード１２２が継続される一方、電話機１が第２のモード１２２に予め設定されていない場合は、電話機１の呼出し音調整用ボリューム１８の値と第２のモード設定用ボリューム値１４とが比較手段１５で比較され、呼出し音調整用ボリューム１８の値が第２のモード設定用ボリューム値１４以下の場合には、制御手段１６により第２のモード１２２が設定される。
【００１６】
また、第１のモード１２１が予め設定されている場合は、呼出し音調整用ボリューム１８の値とは無関係に、この第１のモード１２１が継続される一方、第１のモード１２１が予め設定されていない場合は、電話機１の呼出し音調整用ボリューム１８の値と上記の第１のモード設定用ボリューム値１３，第２のモード設定用ボリューム値１４とが比較手段１５で比較され、呼出し音調整用ボリューム１８の値が第２のモード設定用ボリューム値１４以下の場合には、制御手段１６により第２のモード１２２が設定されるとともに、呼出し音調整用ボリューム１８の値が第１のモード設定用ボリューム値１３以上の場合には、制御手段１６により第１のモード１２１が設定される。
【００１７】
なお、上述のように第２のモード１２２が設定されると、電話機１の送信状態がミュート状態となる。
次に、図２は本発明に関連する技術を示すブロック図で、この図２においても、１，２はそれぞれネットワーク３を介して通信を行なうモード切替え式電話機であり、電話機１は、送受信部１１を通じて着呼があった場合に通常の通話を行なう第１のモード１２１と、着呼があった場合に発信電話機２に対しメッセージを送出してから発信電話機２からの情報を蓄積する第２のモード１２２とを有し、これらのモード１２１，１２２の切替えがモード切替え部１２にて可能になっている。
【００１８】
また、この図２に示すように、電話機１は、着呼検出手段２２，キー操作検出手段２３及び制御手段２４と、図１にて前述したものと同様の第２のモード１２２下で発信電話機２からの情報を蓄積するメモリ１７，マイク１９，スピーカ２０及び呼出し音を送出するブザー２１とを有して構成される。なお、２５はテンキーなどのキーである。
ここで、着呼検出手段２２は、着呼の有無を検出するものであり、キー操作検出手段２３は、キー２５での操作が所要のキー操作であるかどうかを検出するものであり、制御手段２４は、着呼検出手段２２によって着呼があったことが検出され、且つ、キー操作検出手段２３により、所要のキー操作が行なわれたことが検出されると、第２のモード１２２を設定するものである。
【００１９】
このような構成により、上述の本発明に関連する技術のモード切替え式電話機１でも、第１のモード１２１では通常の通話が行なわれ、第２のモード１２２では発信電話機２に対しメッセージを送出してからこの発信電話機２からの情報がメモリ１７に蓄積される。
ここで、この場合のモードの切替えは、次のようにして行なわれる。すなわち、まず、着呼があった場合に、所要のキー操作が行なわれると、着呼検出手段２２によって着呼があったことが検出され、且つ、キー操作検出手段２３により所要のキー操作が行なわれたことが検出されると、制御手段２４により、第２のモード１２２が設定される。
【００２０】
また、このとき、上述のように所要のキー操作が行なわれることにより第２のモード１２２が設定されると、直ぐにメモリ１７への情報蓄積動作が実行される。
なお、上述のように第２のモード１２２が設定されると、直ぐに呼出し音をゼロにし、その後は、呼出し音調整用ボリューム１８の値に応じて設定された呼出し音の回数に相当する時間だけ待機したのちに、メモリ１７への情報蓄積動作が実行されるようにしてもよい。
【００２１】
さらに、このとき、上述のようにして設定された第２のモード１２２は、該当着呼についてのみ有効であるようにしてもよい。
また、上述の所要のキー操作としてボリュームダウンキー操作を行なうことにより電話機１を第２のモード１２２に切り替えようにしてもよく、この場合、ボリュームダウンキー操作を１回行なった場合は、情報蓄積動作を実行するまでに鳴動させる呼出し音の回数を規定するためのボリューム連動設定値を変えず、ボリュームダウンキー操作を複数回行なった場合は、ボリューム連動設定値を変えて呼出し音の回数を変化させるようにする。
【００２２】
さらに、このような電話機１の第２のモード１２２への切替えは、上述の所要のキー操作が所定時間以上継続して行なわれることによって行なってもよく、また、所要のキー操作が所定時間内に複数回行なわれることによって行なってもよい。
また、他に、このような電話機１の第２のモード１２２への切替えは、所要のキー操作として任意の異なるキーが同時に押下されることによって行なってもよく、この場合、具体的には、任意のキーとボリュームキーとが同時に押下されることによって第２のモード１２２が設定される。
【００２３】
さらに、上述のようにして第２のモード１２２が設定されると、呼出し音がゼロに設定され、この呼出し音設定のためのボリュームを上げると、第２のモード１２２が解除される。
なお、このように第２のモード１２２が設定されると、送信状態がミュート状態になるようにしてもよい。
【００２４】
次に、図３は本発明に関連する技術を示すブロック図であるが、この図３においても、１，２はそれぞれネットワーク３を介して通信を行なうモード切替え式電話機であり、電話機１は、送受信部１１を通じて着呼があった場合に通常の通話を行なう第１のモード１２１と、着呼があった場合に発信電話機２に対しメッセージを送出してから発信電話機２からの情報を蓄積する第２のモード１２２とを有し、これらのモード１２１，１２２の切替えがモード切替え部１２にて可能になっている。
【００２５】
また、この図３に示すように、電話機１は、比較手段１５Ａ，制御手段２４Ａ及び電話機１用の電源２５Ａと、図１にて前述したものと同様の第２のモード１２２下で発信電話機２からの情報を蓄積するメモリ１７，マイク１９，スピーカ２０及び呼出し音を送出するブザー２１とを有して構成される。
ここで、比較手段１５Ａは、電話機１用の電源２５Ａの電圧値と第２のモード設定用電圧値１４Ａとを比較するものであり、制御手段２４Ａは、比較手段１５Ａにて、電源２５Ａの電圧値が上述の第２のモード設定用電圧値１４Ａ以下であると判定されると、電話機１を第２のモード１２２に切替えるものである。
【００２６】
このような構成により、上述のモード切替え式電話機１でも、第１のモード１２１では通常の通話が行なわれ、第２のモード１２２では発信電話機２に対しメッセージを送出してからこの発信電話機２からの情報がメモリ１７に蓄積される。
ここで、この場合のモードの設定は、次のようにして行なわれる。すなわち、まず、電話機１用の電源２５Ａの電圧値と第２のモード設定用電圧値１４Ａとが比較手段１５Ａで比較され、この結果、電源２５Ａの電圧値が第２のモード設定用電圧値１４Ａ以下であると判定されると、制御手段２４Ａにより第２のモード１２２が設定される。
【００２７】
次に、図４は本発明に関連する技術を示すブロック図であるが、この図４に示すモード切替え式電話機１は、図３にて前述した電源２５Ａ，比較手段１５Ａ及び制御手段２４Ａの代わりに、それぞれ計時手段２６，比較手段１５Ｂ及び制御手段２４Ｂを用いて構成されている。
ここで、比較手段１５Ｂは、計時手段２６での計時結果と第２のモード設定用計時値１４Ｂとを比較するものであり、制御手段２４Ｂは、この比較手段１５Ｂにて、計時手段２６での計時結果が第２のモード設定用計時値１４Ｂになったと判定されると、第２のモード１２２を設定するものである。
【００２８】
このような構成により、上述のモード切替え式電話機１では、計時手段２６での計時結果と第２のモード設定用計時値１４Ｂとが比較手段１５Ｂにて比較され、この結果、計時手段２６での計時結果が第２のモード設定用計時値１４Ｂになると、制御手段２４Ｂにより、第２のモード１２２が設定される。
ここで、上述の計時手段２６は、具体的に、実時間タイマとして構成すれば、指定時刻になると、第２のモード１２２が設定される。
【００２９】
また、上述の計時手段２６を、発着呼断とともにトリガされるタイマとして構成すれば、この場合は、発着呼断後、所定時間が経過すると、第２のモード１２２が設定される。
さらに、このように計時手段２６が発着呼断とともにトリガされるタイマとして構成される場合は、発着呼断後、所定時間が経過すると、第２のモード１２２が設定される一方、第２のモード１２２が設定されている状態で、発着呼断後、所定時間が経過すると、第２のモード１２２が解除されるようにすることもできる。
【００３０】
次に、図５に示すモード切替え式電話機１は、図４にて前述した計時手段２６，比較手段１５Ｂ及び制御手段２４Ｂの代わりに、音声識別手段２７及び制御手段２４Ｃを用いて構成されている。
ここで、音声識別手段２７は、音声入力手段（マイク）１９を通じて入力された第１のモード１２１あるいは第２のモード１２２の設定・解除のための音声の内容を識別するものであり、制御手段２４Ｃは、この音声識別手段２７によって識別された結果に基づき、第２のモード１２２及び第１のモード１２１の設定・解除を行なうものである。
【００３１】
このような構成により、上述のモード切替え式電話機１では、音声入力手段１９を通じて入力された第１のモード１２１あるいは第２のモード１２２の設定・解除のための音声内容が音声認識手段２７にて識別され、その識別結果に基づき、制御手段２４Ｃにより、第２のモード１２２及び第１のモード１２１の設定・解除が行なわれる。
次に、図６に示すモード切替え式電話機１は、図５にて前述した音声識別手段２７及び制御手段２４Ｃの代わりに、識別情報対モード設定手段２８，比較手段１５Ｄ及び制御手段２４Ｄを用いて構成されている。
【００３２】
ここで、識別情報対モード設定手段２８は、通信相手に応じた識別情報に対応して第１のモード１２１又は第２のモード１２２を設定するものであり、比較手段１５Ｄは、着呼してきた通信相手の識別情報と、この識別情報対モード設定手段２８で設定されている識別情報とを比較するものであり、制御手段２４Ｄは、この比較手段１５Ｄでの比較結果に基づき、第２のモード１２２及び第１のモード１２１の設定・解除を行なうものである。
【００３３】
このような構成により、上述のモード切替え式電話機１では、識別情報対モード設定手段２８にて通信相手に応じた識別情報に対応した第１のモード１２１又は第２のモード１２２が設定され、着呼してきた通信相手の識別情報と、この識別情報対モード設定手段２８で設定されている識別情報とが比較手段１５Ｄで比較され、この比較結果に基づいて、制御手段２４Ｄにより第２のモード１２２及び第１のモード１２１の設定・解除が行なわれる。
【００３４】
また、図１〜図６には図示しないが、電話機１が、着呼があった場合に通常の通話を行なう第１のモードと、着呼があった場合に発信電話機に対しメッセージを送出してから発信電話機からの音声情報を音声メモリに蓄積する第２のモードと、着呼があった場合に発信電話機に対しメッセージを送出してから発信電話機からの音声以外の情報を蓄積する第３のモードとを有し、これらのモードの切替えが可能な場合、本発明のモード切替え式電話機における留守モード切替方法では、上述の第２のモード下で、音声情報を音声メモリに蓄積している場合に、音声メモリの記憶容量が所定値以下になると、第３のモードに切り替えることができる。
【００３５】
また、電話機が上述のように第１のモードと、第２のモードと第３のモードとからなる留守モードとを有し、これらのモードの切替えが可能である場合、本発明のモード切替え式電話機における留守モード切替方法では、留守モードが設定されると、まず最初に、音声情報を音声メモリに蓄積する第２のモードが選択され、その後、音声メモリの記憶容量が所定値以下になると、第３のモードに切り替えることができる。
【発明の効果】
【００３６】
本発明に関連する技術によれば、着呼があったことが検出され、且つ、所要のキー操作が行なわれたことが検出されると第２のモードに設定されるので、複雑な手順を必要とせずに、極めて容易に、第２のモードを設定することができる。
また、このとき、上述のように所要のキー操作が行なわれることにより、第２のモードが設定されると、直ぐに情報蓄積動作が実行されるので、急な着呼に対して応答できない場合や意図的に応答しない場合などでも、極めて簡単な手順で発信電話機からの情報を蓄積することができる。
【００３７】
なお、上述のように所要のキー操作が行なわれることにより、第２のモードが設定されると、直ぐに呼出し音をゼロにし、その後は、呼出し音調整用ボリュームの値に応じて設定された呼出し音の回数に相当する時間だけ待機したのちに、情報蓄積動作が実行されるようにしてもよいので、第２のモードにおける情報蓄積動作の実行までの時間を極めて簡単な手順で設定することができる。
【００３８】
さらに、上述のようにして所要のキー操作を行なうことにより設定された第２のモードは、該当着呼についてのみ有効であるようにしてもよいので、応答したくない着呼などに対してのみ第２のモードを設定して、通常の通話を行なわずにその情報を蓄積することができる。
また、上述の所要のキー操作としてボリュームダウンキー操作を行なうだけで第２のモードにすることもできるので、極めて簡単な操作で第２のモードを設定することができ、さらに、この場合、ボリュームダウンキー操作を１回行なった場合は、情報蓄積動作を実行するまでに鳴動させる呼出し音の回数を変えず、ボリュームダウンキー操作を複数回行なった場合に、この呼出し音の回数を変化させるようにすることもできるので、極めて簡単な手順で情報蓄積動作を実行するまでの時間を設定することができる。
【００３９】
さらに、このような第２のモードの設定は、上述の所要のキー操作を所定時間以上継続することにより行なうこともでき、また、所要のキー操作を所定時間内に複数回行なうことにより行なうこともできるので、同様に、極めて簡単な手順で第２のモードを設定することができるとともに、急な着呼に対しても応答したくない場合などには、即座に第２のモードに設定してその情報を蓄積することができるようになる。
【００４０】
また、他に、このような第２のモードへの切替えは、任意の異なるキーを同時に押下することによって行なうこともでき、例えば、任意のキーとボリュームキーとを同時に押下することによって第２のモードの設定を行なことができるようにすれば、キーの数が制限され上述のような第２のモード設定専用のキーを設けることができない電話機などでも、簡単に第２のモードの設定を行なうことができるようになる。
【００４１】
さらに、上述のようにして第２のモードが設定されると、呼出し音をゼロに設定し、この呼出し音設定のためのボリュームを上げると、第２のモードが解除されるようにすれば、着呼に応答したくない，応答したいといった利用者の意思に応じて自動的に第２のモードの設定・解除を行なうことができるようになり、第２のモード設定の操作性も大幅に向上する。
【００４２】
また、上述のようにして第２のモードに設定された場合に、送信状態をミュート状態にするようにすれば、送信電力を大幅に節約できるようになる。
さらに、本発明に関連する技術のモード切替え式電話機及び同モード切替え式電話機におけるモード設定方法によれば、電話機用の電源の電圧値が第２のモード設定用電圧値以下であると、第２のモードに切替えられるので、電話機の消費電力を大幅に節約することができる。
【００４３】
また、本発明に関連する技術のモード切替え式電話機及び同モード切替え式電話機におけるモード設定方法によれば、計時手段での計時結果が第２のモード設定用計時値になると、第２のモードが設定されるので、利用者の不在などにより電話機が長時間放置されても自動的に第２のモードが設定され、これにより発信電話機からの情報を逃すことなく蓄積することができるとともに、電話機の消費電力も大幅に節約できるようになる。
【００４４】
ここで、上述の計時手段を、実時間タイマとして構成すれば、指定時刻に第２のモードを設定できるので、特に、予め利用者が不在となる時間が分かっている場合などに、効果的に第２のモードを設定することができるようになるとともに、電話機の消費電力も大幅に節約できるようになる。
また、上述の計時手段を、発着呼断とともにトリガされるタイマとして構成すれば、発着呼断後、所定時間が経過すると、自動的に第２のモードが設定されるので、予め第２のモードに設定することを忘れて電話機を長時間放置することになっても、発信電話機からの情報を逃すことなく蓄積できるとともに、消費電力も大幅に節約することができる。
【００４５】
さらに、このように計時手段が発着呼断とともにトリガされるタイマとして構成される場合は、発着呼断後、所定時間が経過すると、第２のモードが設定される一方、第２のモードが設定されている状態で、発着呼断後、所定時間が経過すると、第２のモードが解除されるようにすれば、発着呼が長時間ない場合に第２のモードが設定されるようになるので、電話機の消費電力を大幅に節約することができる。
【００４６】
また、本発明に関連する技術のモード切替え式電話機によれば、音声入力手段を通じて入力された第１のモードあるいは第２のモードの設定・解除のための音声内容が音声認識手段にて識別され、この識別結果に基づき、第２のモード及び第１のモードの設定・解除が行なわれるので、複雑なキー操作を行なうことなく、音声のみで第２のモード及び第１のモードの設定・解除を行なうことができ、これにより、モード切替え式電話機の操作性が大幅に向上する。
【００４７】
さらに、本発明のモード切替え式電話機によれば、着呼してきた通信相手の識別情報に応じて第１のモード又は第２のモードが設定されるので、例えば、応答したくない通信相手からの着呼に対しては直接通話を行なわずに音声情報を蓄積してその用件を確認できるようになる。
また、本発明に関連する技術のモード切替え式電話機におけるモード切替え方法によれば、発信電話機からの音声情報を音声メモリに蓄積する第２のモード下で、音声情報を音声メモリに蓄積している場合に、音声メモリの記憶容量が所定値以下になると、音声情報よりは情報量の少ない音声以外の情報を蓄積する第３のモードに切り替えることができるので、音声メモリの記憶容量を極めて効率的に使用できるようになる。
【００４８】
さらに、本発明に関連する技術のモード切替え式電話機におけるモード切替え方法によれば、第２及び第３のモードからなる留守モードが設定されると、まず最初に、音声情報を音声メモリに蓄積する第２のモードが選択され、その後、音声メモリの記憶容量が所定値以下になると、音声情報よりも情報量の少ない音声以外の情報を蓄積する第３のモードに切り替えることもできるので、音声情報を優先的に音声メモリに蓄積しつつ、このメモリの記憶容量も極めて効率的に使用できるようになる。
【図面の簡単な説明】
【００４９】
【図１】本発明の関連技術を示すブロック図である。
【図２】本発明の関連技術を示すブロック図である。
【図３】本発明の関連技術を示すブロック図である。
【図４】本発明を示すブロック図である。
【図５】本発明を示すブロック図である。
【図６】本発明を示すブロック図である。
【図７】第１実施例としての携帯電話機（モード切替え式電話機）の構成を示すブロック図である。
【図８】（ａ），（ｂ）はそれぞれ第１実施例の携帯電話機において呼出し音のボリューム音量に応じて通常モード／留守モードの設定を行なう場合の動作を説明するためのフローチャートである。
【図９】（ａ），（ｂ）はそれぞれ第１実施例の携帯電話機において呼出し音のボリューム音量に応じて通常モード／留守モードの設定を行なう場合の動作を説明するためのフローチャートである。
【図１０】（ａ），（ｂ）はそれぞれ第１実施例の携帯電話機において呼出し音のボリューム音量に応じて通常モード／留守モードの設定を行なう場合の動作を説明するためのフローチャートである。
【図１１】第１実施例の携帯電話機において呼出し音のボリューム音量に応じて留守モードを実行させるまでの呼出し音の鳴動回数を設定する場合の動作を説明するためのフローチャートである。
【図１２】（ａ），（ｂ）はそれぞれ第１実施例の携帯電話機において通常モード又は留守モードが予め設定されていない場合に呼出し音のボリューム音量に応じて各モードを設定する動作を説明するためのフローチャートである。
【図１３】第１実施例の携帯電話機において所要のキー操作により留守モードを設定する場合の動作を説明するためのフローチャートである。
【図１４】第１実施例の携帯電話機においてモード切替え用のキー操作により留守モードを設定する場合の動作を説明するためのフローチャートである。
【図１５】第１実施例の携帯電話機において所要のキー操作により直ぐに留守モードを実行させる場合の動作を説明するためのフローチャートである。
【図１６】第１実施例の携帯電話機において呼出し音をゼロにしたのち呼出し音のボリューム音量に応じて呼出し音を鳴動させる動作を説明するためのフローチャートである。
【図１７】第１実施例の携帯電話機において所要のキー操作を行なった時点で既に留守モードが設定されている場合に直ぐに留守モードを実行させる動作を説明するためのフローチャートである。
【図１８】第１実施例の携帯電話機において所要のキー操作を行なった時点で既に留守モードが設定されている場合に呼出し音をゼロにしたのち直ぐに留守モードを実行させる動作を説明するためのフローチャートである。
【図１９】第１実施例の携帯電話機において設定された留守モードを１回の着呼に対してのみ設定・実行させる場合の動作を説明するためのフローチャートである。
【図２０】第１実施例の携帯電話機において設定された留守モードを複数回実行させる場合の動作を説明するためのフローチャートである。
【図２１】第１実施例の携帯電話機において設定された留守モードを複数回実行させる場合の動作を説明するためのフローチャートである。
【図２２】第１実施例の携帯電話機において実行させる留守モード回数をキーの押下回数に応じて設定・実行する場合の動作を説明するためのフローチャートである。
【図２３】第１実施例の携帯電話機においてボリュームキーの操作によって留守モードを設定・実行する場合の動作を説明するためのフローチャートである。
【図２４】第１実施例の携帯電話機においてボリュームキーの操作回数に応じて鳴動させる呼出し音の回数を設定する場合の動作を説明するためのフローチャートである。
【図２５】第１実施例の携帯電話機において終話キーの操作によって留守モードを設定・実行する場合の動作を説明するためのフローチャートである。
【図２６】第１実施例の携帯電話機において留守モード設定用の専用キーの操作によって留守モードを設定・実行する場合の動作を説明するためのフローチャートである。
【図２７】第１実施例の携帯電話機において所要のキー操作の継続時間に応じて留守モードを設定・実行する場合の動作を説明するためのフローチャートである。
【図２８】第１実施例の携帯電話機において所要のキー操作回数に応じて留守モードを設定・実行する場合の動作を説明するためのフローチャートである。
【図２９】第１実施例の携帯電話機において２つ以上の異なるキーが同時に押下された場合に留守モードを設定・実行する場合の動作を説明するためのフローチャートである。
【図３０】第１実施例の携帯電話機において任意のキーとボリュームキーとが操作された場合に留守モードを設定・実行する場合の動作を説明するためのフローチャートである。
【図３１】第１実施例の携帯電話機において留守モードが設定された場合に呼出し音のボリューム音量をゼロに設定する動作を説明するためのフローチャートである。
【図３２】第１実施例の携帯電話機においてボリュームアップキーを操作することによって留守モードを解除する場合の動作を説明するためのフローチャートである。
【図３３】第１実施例の携帯電話機において電源の電圧値に応じて留守モードを設定する場合の動作を説明するためのフローチャートである。
【図３４】（ａ），（ｂ）はそれぞれ第１実施例の携帯電話機においてタイマによって留守モード／通常モードを設定する場合の動作を説明するためのフローチャートである。
【図３５】第１実施例の携帯電話機においてタイマを用いて指定時刻に留守モード／通常モードを設定する場合の動作を説明するためのフローチャートである。
【図３６】第１実施例の携帯電話機において発着呼の有無状態に応じて留守モードを設定する場合の動作を説明するためのフローチャートである。
【図３７】第１実施例の携帯電話機において発着呼の有無状態に応じて留守モードを解除する場合の動作を説明するためのフローチャートである。
【図３８】第１実施例の携帯電話機においてユーザの音声により留守モードを設定する場合の動作を説明するためのフローチャートである。
【図３９】第１実施例の携帯電話機においてユーザの音声により留守モードを解除する場合の動作を説明するためのフローチャートである。
【図４０】第１実施例の携帯電話機において着呼してきた通信相手の識別情報に応じて留守モードを設定する場合の動作を説明するためのフローチャートである。
【図４１】第２実施例としての携帯電話機（モード切替え式電話機）の構成を示すブロック図である。
【図４２】第３実施例としての携帯電話機（モード切替え式電話機）の構成を示すブロック図である。
【図４３】第３実施例の携帯電話機においてメモリの記憶容量の残量に応じて留守録モード／簡易ページャモードを設定する場合の動作を説明するためのフローチャートである。
【図４４】（ａ），（ｂ）はそれぞれ一般的な携帯電話機における留守モードの設定／解除動作を説明するためのフローチャートである。
【発明を実施するための形態】
【００５０】
以下、図面を参照して本発明の実施例を説明する。
（ａ）第１実施例の説明
図７は本発明の第１実施例としての携帯電話機（モード切替え式電話機）の構成を示すブロック図で、この図７において、３０は携帯電話機、３１は他の携帯電話機との無線の送受信を行なう無線部、３２は電気的に消去／プログラムが可能なメモリ（ＥＥＰＲＯＭ）、３３は読み出し専用のリード・オンリー・メモリ（ＲＯＭ）、３４は読み出し／書き込みが可能なランダム・アクセス・メモリ（ＲＡＭ）である。
【００５１】
ここで、ＥＥＰＲＯＭ３２，ＲＯＭ３３には、後述するメインＣＰＵ３６のためのソフトウェアなどが保持されており、ＲＡＭ３４には、通常の通話を行なう通常モード（第１のモード）を設定する場合の呼出し音のボリューム設定値（第１のモード設定用ボリューム値）や留守モード（第２又は第３のモード）を設定する場合の呼出し音のボリューム設定値をはじめとする後述する各種の留守モード設定用の値が予め設定され保持されている。なお、各種の留守モード設定用の値の詳細については、後述してゆく。
【００５２】
また、３６はメインＣＰＵ、３７は表示操作部用制御部、３８は液晶ディスプレイ（ＬＣＤ）、３９は押下されたキー（テンキーなど）の入力に応じた信号を送出するキースイッチ、４０は無線部３１を通じて送受される信号に対してベースバンドフィルタなどを用いて変復調を施すベースバンド部である。
ここで、メインＣＰＵ（以下、単にＣＰＵということがある）３６は、携帯電話機３０の発着信や通常モードや留守モードなどのモードの切替えなどを統括的に制御するもので、後述するような各種の機能を有している。また、表示操作部用制御部（キー操作検出手段）３７は、キースイッチ３９からのキー入力がモードを切り替えるための所要のキー操作であるかを検出して、この検出結果に応じた制御を行なうようメインＣＰＵ３６に通知するとともに、例えば、ユーザによりダイヤルされた電話番号などを液晶ディスプレイ３８に表示するよう制御するものである。
【００５３】
さらに、４１は留守モード制御部、４２は音声認識機能制御部、４３はベースバンド部４０への信号経路を切り替えることにより留守モードと通常モードとを切り替えるバス切替えスイッチ、４４，４５はそれぞれスピーカ４９の音量，呼出し音の音量を調整する電子ボリューム、４６，４７はそれぞれマイク４８から入力された音声の送信レベル，ブザー５０からの呼出し音の音量を"０"にするミュート部である。
【００５４】
ここで、留守モード制御部４１は、留守モード時に着呼があった場合に、発信側の携帯電話機にメッセージを送出して、無線部３１を通じて受信した通信相手からの音声信号を音声情報として録音（蓄積）するもので、このため、この留守モード制御部４１は、留守録機能を実行するためのソフトウェアを保持しておくＲＯＭ４１１と、発信側の携帯電話機へのメッセージ，発信側の携帯電話機からの音声を録音（蓄積）するＲＡＭ４１２と、ＲＯＭ４１１からソフトウェアを読み出して留守録機能を実行する留守録機能制御部４１３を有して構成される。
【００５５】
また、音声認識機能制御部４２は、マイクを通じて入力されるユーザの音声を識別するもので、この音声認識機能制御部４２により、通常モードと留守モードとの切替えが音声によっても行なうことができるようになっている。
また、本実施例では、ＣＰＵ３６は、具体的に、次のような機能（手段）を有している。
【００５６】
（１）着呼の有無を検出する機能。
（２）携帯電話機３０の呼出し音調整用の電子ボリューム４５の値と、ＲＡＭ３４に予め設定される通常モード設定用のボリューム値，留守モード設定用のボリューム値とを比較する機能。
（３）上述の機能による比較結果に基づき、呼出し音のボリューム音量が留守モード設定用のボリューム値以下に設定されていると判定した場合に、留守モードを設定するとともに、呼出し音のボリューム音量が通常モード設定用のボリューム値以上に設定されていると判定した場合に、通常モードを設定する制御機能。
【００５７】
（４）（１）の機能により着呼があったことが検出され、且つ、表示操作部用制御部３７によりモードを切り替えるための所要のキー操作が行なわれたことが検出された場合に留守モードを設定する制御機能。
（５）携帯電話機３０用の電源（図示略）の電圧を監視して、この電圧値とＲＡＭ３４に予め設定される留守モード設定用の電圧値とを比較する比較機能。
【００５８】
（６）（５）の機能により電源の電圧値が留守モード設定用の電圧値以下であった場合に留守モードを設定する制御機能。
（７）タイマ（計時）機能。
（８）タイマ機能での計時結果とＲＡＭ３４に予め設定される留守モード設定用の計時値とを比較する比較機能。
【００５９】
（９）タイマ機能での計時結果が留守モード設定用の計時値になった場合に留守モードを設定する制御機能。
（１０）音声認識制御部４２によって識別された結果に基づき、バス切替えスイッチ４３を切り替えて留守モード及び通常モードの設定・解除を行なう制御機能。
（１１）着呼してきた通信相手の識別情報（電話番号やＩＤなど）とＲＡＭ３４に予め設定される識別情報とを比較する比較機能。
【００６０】
（１２）（１１）の機能による比較結果に基づき、留守モード及び通常モードの設定・解除を行なう制御機能。
以下、上述のごとく構成された本実施例における携帯電話機３０の動作について詳述する。
まず、例えば、ユーザにより携帯電話機３０のボリューム（キー）が操作されて呼出音のボリューム音量が変更されると、キースイッチ３９からボリュームキーが操作されたことを示す信号が表示操作部用制御部３７へ出力され、表示操作部用制御部３７は、この変更された呼出し音のボリューム音量を、液晶ディスプレイ３８などに表示するとともに、このボリューム値をメインＣＰＵ３６へ出力する。
【００６１】
さらに、メインＣＰＵ３６は、図８（ａ）に示すように、このボリューム音量に応じて電子ボリューム４５を制御して呼出し音のボリューム音量を設定する一方、ＲＡＭ３４に保持されている留守モード用のボリューム値，通常モード用のボリューム値を読み出して、ユーザにより操作された呼出し音のボリューム音量と、予め設定されているこれらの留守モード用のボリューム値，通常モード用のボリューム値とを比較し、呼出し音のボリューム音量が留守モード用のボリューム値以下かどうかを判定する（ステップＳ１）。
【００６２】
このとき、呼出し音のボリューム音量が留守モード用のボリューム値以下であれば、メインＣＰＵ３６は、留守モード制御部４１を起動するとともに、バス切替えスイッチ４３を留守モード制御部４１側に切り替えることにより留守モードを設定し（ステップＳ１のＹＥＳルートからステップＳ２）、逆に、呼出し音のボリューム音量が留守モード用のボリューム値以下でない場合は、留守モードは設定しない（ステップＳ１のＮＯルートからステップＳ３）。
【００６３】
一方、図８（ｂ）に示すように、上述のようにして留守モードが設定されている状態で、ユーザにより呼出し音のボリューム音量が操作されると、同様に、メインＣＰＵ３６で、このボリューム音量とＲＡＭ３４に設定されている留守モード用のボリューム値，通常モード用のボリューム値とが比較され（ステップＳ１′）、この結果、呼出し音のボリューム音量が通常モード用のボリューム値以上であれば、マイク４８から入力される音声が無線部３１を通じて送出されるように、バス切替えスイッチ４３がマイク４８側に切替えられることにより留守モードが解除され（通常モードが設定され）（ステップＳ１′のＹＥＳルートからステップＳ２′）、呼出し音のボリューム音量が通常モード用のボリューム値以上でない場合は、留守モードは解除されない（ステップＳ１′のＮＯルートからステップＳ３′）。
【００６４】
つまり、例えば、呼出音のボリューム音量（電子ボリューム４５のボリューム値）が「０〜１０」まで存在し、留守モード用のボリューム音量を「３」，通常モード用のボリューム音量を留守モード用のボリューム音量「３」以上の「７」に設定しておいた場合、呼出し音のボリュームを「３」以下にすれば自動的に留守モードになり、「７」以上にすれば留守モードが解除されて通常モードになるのである。
【００６５】
従って、着呼に応答したくないなどの場合には、呼出し音を小さくして呼出し音のボリューム音量を留守モード用設定値以下にしておき、逆に、着呼に応答したい場合には、呼出し音を大きくして呼出し音のボリューム音量を通常モード用設定値以上にしておけば、自動的に、留守モード又は通常モードが設定されるので、例えば、呼出し音のボリューム音量を小さくしておいたために着呼に気づかない場合でも、留守モードにて自動的に通信相手からの通話内容を録音することができるようになる。
【００６６】
ここで、上述の留守モード用のボリューム設定値，通常モード用のボリューム設定値は可変であり、この場合、留守モードの設定・解除動作は、図９（ａ），図９（ｂ）に示すようにして行なわれる。
すなわち、図９（ａ）に示すように、まず、ボリュームキーが押下されたか否かが繰り返しメインＣＰＵ３６で判定され（ステップＳ４のＮＯルート）、ボリュームキーが押下され呼出し音のボリューム音量が変化すると、さらにこの呼出し音のボリューム音量が、ＲＡＭ３４に予め設定されている留守モード用のボリューム設定値と同じか、あるいはそれ以下であるか判定される（ステップＳ４のＹＥＳルートからステップＳ５）。
【００６７】
そして、呼出し音のボリューム音量が留守モード用のボリューム設定値と同じかそれ以下であれば、留守モードが設定され（ステップＳ５のＹＥＳルートからステップＳ６）、ボリューム音量が設定値と同じかそれ以下でない場合は、留守モードは設定されない（ステップＳ４，Ｓ５のＮＯルートからステップＳ７）。
一方、図９（ｂ）に示すように、留守モードが設定されている状態では、まず、ボリュームキーが押下られたか否かが繰り返しメインＣＰＵ３６で判定され（ステップＳ４′のＮＯルート）、ボリュームキーが押下され呼出し音のボリューム音量が変化すると、さらにこの呼出し音のボリューム音量が、ＲＡＭ３４に予め設定されている通常モード用のボリューム設定値と同じかそれ以下であるかが判定される（ステップＳ４′のＹＥＳルートからステップＳ５′）。
【００６８】
そして、この呼出し音のボリューム音量が、通常モード用のボリューム設定値と同じかそれ以上であれば、メインＣＰＵ３６によりバス切替えスイッチ４３がマイク側に切替えられ留守モードが解除されて通常モードが設定され（ステップＳ５′のＹＥＳルートからステップＳ６′）、呼出し音のボリューム音量が、通常モード用のボリューム設定値以下であれば、そのまま留守モードは解除されない。
【００６９】
このように、本実施例における携帯電話機３０によれば、上述の通常モード用設定値が、留守モード用設定値以上の値として設定されるので、通常モードになる場合と留守モードになる場合とを明確にでき、確実に通常モードと留守モードとを切り替えることができる。
また、上述のように、ＲＡＭ３４における通常モード用設定値，留守モード用設定値はユーザにより設定変更することができるので、通常モード，留守モードが設定される呼出し音のボリューム音量の設定をユーザにとって都合よく自由に変更することができる。
【００７０】
また、本実施例における携帯電話機３０では、予めＲＡＭ３４に設定しておく留守モード用のボリューム音量を「０」に設定しておけば、ユーザが着呼に応答したくない場合などに呼出し音が鳴らないように「０」にすれば、自動的に留守モードが設定され、ボリューム音量が「０」以外の値であれば、通常モードが設定されるようにすることもできる。
すなわち、この場合は、図１０（ａ）に示すように、まずボリュームキーが押下されたか否かの判定が繰り返しメインＣＰＵ３６で行なわれ（ステップＳ８のＮＯルート）、ボリュームキーが押下されると、さらにこのボリュームキーの押下により呼出し音のボリューム音量が「０」になっているかが判定される（ステップＳ８のＹＥＳルートからステップＳ９）。
【００７１】
そして、呼出し音のボリューム音量が「０」になっていれば、メインＣＰＵ３６によりバス切替えスイッチ４３が留守モード制御部４１側へ切替えられ、留守モードが設定され（ステップＳ９のＹＥＳルートからステップＳ１０）、ボリューム音量が「０」になっていない場合は、バス切替えスイッチ４３の切替えは行なわれず、留守モードは設定されない（Ｓ９のＮＯルートからステップＳ１１）。
【００７２】
一方、図１０（ｂ）に示すように、留守モードが設定されている状態でも、ボリュームキーが押下されたか否かの判定がメインＣＰＵ３６で繰り返し行なわれ（ステップＳ８′のＮＯルート）、ボリュームキーが押下されると、さらにこのボリュームキーの押下によって呼出し音のボリューム音量が「０」になっているかが判定される（ステップＳ８′のＹＥＳルートからステップＳ９′）。
【００７３】
そして、呼出し音のボリューム音量が「０」のままであれば、メインＣＰＵ３６によるバス切替えスイッチ４３の切替えは行なわれず、留守モードは解除されない（つまり、通常モードには設定されない）（ステップＳ９′のＹＥＳルートからステップＳ１０′）。一方、ボリューム音量が「０」になっていない場合は、メインＣＰＵ３６によりバス切替えスイッチ４３がマイク４８側に切替えられ、留守モードが解除されて通常モードが設定される（ステップＳ９′のＮＯルートからステップＳ１１′）。
【００７４】
このように、上述の携帯電話機３０によれば、留守モード用設定値を、呼出音がゼロに相当する値に設定しておくことにより、着呼に応答したくないために呼出し音をゼロにしておいた場合でも、着呼があれば自動的に留守モードになるので、通信相手からの通話内容などを逃すことなく確実に録音（蓄積）することができるようになる。また、このように呼出し音をゼロに設定しておいたことを忘れていて着呼があっても気づかない場合でも、通信相手からの通話内容などを逃すことなく確実に録音することができる。
【００７５】
さて、次に、上述のようにして留守モードが設定されている場合に着呼があると、ＣＰＵ３６が留守モード制御部４１を起動し、留守録機能制御部４１３が、ユーザによってＲＡＭ４１２に予め登録されているメッセージ（例えば、「ただいま、留守にしております、発信音のあとにメッセージをお入れ下さい。」などのメッセージ）を読み込んで、この音声メッセージをベースバンド部４０へ出力し、ベースバンド部４０は、この音声メッセージをアナログの音声信号に変換し無線部３１を通じて発信側の携帯電話機へ送出する。
【００７６】
そして、留守録機能制御部４１３は、発信側の携帯電話機から受信した音声（情報）を電気信号に変換してＲＡＭ４１２に蓄積することにより、留守録を行なう。
ここで、上述の留守録動作は、通常、ある程度、呼出し音を鳴動させたのちに実行されるが、本実施例では、この呼出し音の鳴動回数もボリューム音量に応じて設定することできる。
【００７７】
すなわち、図１１に示すように、まず着呼があると（ステップＳ１２）、メインＣＰＵ３６により留守モードになっているか否かが判定され（ステップＳ１３）、留守モードになっていれば、そのときの呼出し音ボリューム音量がいくつになっているかが判定される（ステップＳ１４）。
そして、メインＣＰＵ３６は、例えば、呼出し音のボリューム音量が「５」になっている場合は、呼出音を１０回鳴動させてから留守モード制御部４１を起動して留守録を実行し、ボリューム音量が「１」になっている場合には、呼出音を２回鳴動させてから留守モード制御部４１を起動して留守録を実行するという具合に、呼出音のボリューム音量に応じて留守録を実行するまでの呼出音の鳴動回数を変化させる（ステップＳ１５）。
【００７８】
なお、このような呼出し音のボリューム音量に対応した呼出し音の鳴動回数は、予めユーザによって登録されており、ＲＡＭ３４に設定・保持されている。
また、このような留守録を実行するまでに鳴動させる呼出し音の回数とボリューム音量との関係は変更することができ、例えば、ボリューム音量が大きいほど呼出し音の鳴動回数を少なくすることもできるし、また、逆にボリューム音量が大きいほど呼出し音の鳴動回数を多くすることもできる。
【００７９】
従って、この場合、留守モード下で通信相手からの通話内容などの情報を蓄積させるまでに鳴動させる呼出し音の回数設定に関する自由度も大いに向上する。
さらに、このときＣＰＵ３６では、この呼出し音の鳴動中に、通話ボタンが押下されるなどのオフフック操作が行なわれたどうかが判定されており（ステップＳ１６）、オフフック操作が行なわれていなければ、無線部３１を通じて入力された発信側の携帯電話機からの音声が、留守録機能制御部４１３によりＲＡＭ４１に録音（蓄積）される。
【００８０】
一方、着呼があった場合に、留守モードになっていない場合や呼出し音を鳴動させている最中にオフフック操作が行なわれた場合は、いずれも通常モードでの通話が行なわれる（ステップＳ１８）。
このように、上述の携帯電話機３０によれば、留守モード下で通信相手からの通話内容などの情報を留守モード制御部４１のＲＡＭ４１２に蓄積させるまでに鳴動させる呼出し音の回数を、呼出し音調整用の電子ボリューム４５のボリューム音量に応じて設定することができるので、留守モードを実行するまでに鳴動させる呼出し音の回数を、予め個別に設定しておく必要がなく、これにより携帯電話機３０の操作性が大幅に向上する。
【００８１】
また、本実施例における携帯電話機３０では、留守モード設定用のキーなどが押下されることにより、留守モードが予め設定されている場合は、図１２（ａ）に示すように、呼出し音のボリューム音量とは無関係に留守モードが継続される一方（ステップＳ１９のＹＥＳルートからステップＳ２０）、留守モード設定用のキーが押下されず留守モードに予め設定されていない場合は、上述と同様に、呼出し音のボリューム音量とＲＡＭ３４に設定されている留守モード用のボリューム値とが比較される（ステップＳ１９のＮＯルートからステップＳ２１）。
【００８２】
この結果、呼出し音のボリューム音量が、留守モード用のボリューム値以下であれば、留守モードが設定され（ステップＳ２１のＹＥＳルートからステップＳ２０）、そうでなければ通常モードが設定される（ステップＳ２１のＮＯルートからステップＳ２２）。
一方、通常モード設定用のキーなどにより予め通常モードに設定されている場合は、図１２（ｂ）に示すように、まず留守モード設定用のキーが押下されるなどによって留守モードが設定されない限り、呼出し音のボリューム音量とは無関係に通常使用モードが継続され（ステップＳ１９′のＮＯルートからステップＳ２０′）、通常モード設定用のキーなどにより予め通常モードに設定されていない場合には、呼出し音のボリューム音量と、通常モード用のボリューム値，留守モード用のボリューム値とが比較され、呼出し音のボリューム音量が留守モード用のボリューム値以下になっていれば留守モードが設定され（ステップＳ２１′のＹＥＳルートからステップＳ２２′）、呼出し音のボリューム音量が通常モード用のボリューム値以上になっていれば通常モードが設定される（ステップＳ２１′のＮＯルートからステップＳ２２′）。
【００８３】
従って、ユーザが着呼に応答したくないので呼出し音を小さくした場合やこのように呼出し音を小さくしたことを忘れてしまって着呼に気づかない場合などでも、確実に、着呼に応答してその情報を蓄積することができる。
なお、上述のように留守モードが設定されると、いずれの場合も、自動的にＣＰＵ３６がミュート部４６を制御してマイク４８からの送信音声をミュート（送信レベルがゼロ）状態にし、逆に、通常モードが設定されると、自動的にＣＰＵ３６がミュート部４６を制御してこのミュート状態を開放する。
【００８４】
従って、通常、留守モードでは使用されないマイク４８などの消費電力を削減することができるので、携帯電話機３０の消費電力も大幅に削減できるようになる。
次に、上述の携帯電話機３０における通常モード／留守モードの設定動作は、いずれも呼出し音のボリューム音量に応じて自動的に各モードが設定されるものであったが、以下では、ユーザが意図的に留守モードを設定する場合の動作について詳述する。
【００８５】
すなわち、図１３に示すように、通常モード時に着呼があるとＣＰＵ３６でこの着呼が検出され（ステップＳ２３）、携帯電話機３０において何らかのキー操作（所要のキー操作）が行なわれると（ステップＳ２４）、このキー操作がモードを切替えるための操作であるかが表示制御部用制御部３７で判定される（ステップＳ２５）。
そして、この結果、モードを切り替えるためのキー操作が行なわれていれば、ＣＰＵ３６は留守モード制御部４１を起動して留守録動作（ＲＡＭ４１２への音声蓄積動作）を実行し（ステップＳ２５のＹＥＳルートからステップＳ２６）、発信側の携帯電話機からの通話が終了すると（ステップＳ２７）、携帯電話機３０は留守モードのまま次の着呼まで待機する（ステップＳ２８）。
【００８６】
なお、ステップＳ２５において行なわれたキー操作が、留守モード設定用のキー操作でなければ、通常モードにて発信側の携帯電話機との通話が行なわれ（ステップＳ２５のＮＯルートからステップＳ２９）、通話が終了すると（ステップＳ３０）、携帯電話機３０は通常モードのまま次の着呼があるまで待機する（ステップＳ３１）。
このように、上述の携帯電話機３０によれば、着呼があったことがＣＰＵ３６で検出され、且つ、留守モードを設定するための所要のキー操作が行なわれたことがＣＰＵ３６で検出されると、自動的に留守モードが設定されるので、複雑な手順を必要とせずに、極めて容易に、留守モードを設定することができるようになる。
【００８７】
ここで、具体的に、携帯電話機３０での所要のキー操作とは、例えば、モード切替え用のキーを押下するなどの操作であり、この場合は、図１４のステップＳ２５′に示すように、上述の所要のキー操作としてモード切替え用のキーが押下された場合に、留守モードが実行される。なお、他の各ステップでの動作は図１３にて前述した動作とそれぞれ同様である。
【００８８】
また、本実施例における携帯電話機３０では、モードを切り替えるための所要のキー操作が行なわれると、直ぐに発信側の携帯電話機からの音声を、留守録機能制御部４１によりＲＡＭ４１に蓄積することも可能である。
すなわち、図１５に示すように、携帯電話機３０に着呼があったことがＣＰＵ３６で検出され（ステップＳ３２）、ＣＰＵ３６がブザー５０を通じて呼出し音を送出している際（ステップＳ３３）、上述のような所要のキー操作によって留守モード切替え命令がＣＰＵ３６に通知されると、直ちにＣＰＵ３６は留守モード制御部４１を起動して留守録動作（音声の蓄積動作）を実行させる（ステップＳ３４のＹＥＳルートからステップＳ３７）。
【００８９】
なお、このような留守モード切替え命令がＣＰＵ３６に出されない場合は、ＣＰＵ３６は、通話ボタンの押下などのオフフック操作が行なわれたか否かの判定を繰り返し行ない（ステップＳ３４のＮＯルートからステップＳ３５及びステップＳ３５のＮＯルート）、オフフック操作が行なわれた時点で、通常の通話を行なうよう携帯電話機３０を制御する（ステップＳ３５のＹＥＳルートからステップＳ３６）。
【００９０】
このように、上述の携帯電話機３０によれば、所要のキー操作が行なわれることにより、留守モードに設定されると、直ぐに留守モード制御部４１のＲＡＭ４１２への音声の蓄積動作が実行されるので、急な着呼に対して応答できない場合や意図的に応答しない場合などでも、極めて簡単な手順で通信相手からの通話内容を録音することができるようになる。
【００９１】
また、本実施例における携帯電話機３０では、モードを切り替えるための所要のキー操作が行なわれると、ＣＰＵ３６により電子ボリューム４５を制御して呼出し音のボリューム音量を「０」にし、その後は、呼出し音のボリューム音量に応じてＲＡＭ３４に設定された呼出し音の回数に相当する時間だけ待機したのちに、留守録機能制御部４１３によるＲＡＭ４１２への音声情報の蓄積行なうこともできる。
【００９２】
すなわち、図１６に示すように、携帯電話機３０に着呼があったことがＣＰＵ３６で検出され（ステップＳ３８）、ＣＰＵ３６がブザー５０を通じて呼出し音を送出している際（ステップＳ３９）、上述のような所要のキー操作が行なわれると、まずＣＰＵ３６は、電子ボリューム４５を制御して呼出し音のボリューム音量を「０」に設定し（ステップＳ４０のＹＥＳルートからステップＳ４１）、その後、呼出し音のボリューム音量に応じてＲＡＭ３４に設定されている呼出し音の鳴動回数だけ、呼出し音を鳴動させ（ステップＳ４２のＮＯルート）、留守録動作（音声の蓄積動作）を実行する（ステップＳ４２のＹＥＳルートからステップＳ４３）。
【００９３】
なお、ステップＳ４０において、留守モードに切り替えるための所要のキー操作が行なわれていない場合、ＣＰＵ３６は、通話キーが押下されるなどのオフフック操作が行なわれたか否かの判定を繰り返し行ない（ステップＳ４４のＮＯルート）、オフフック操作が行なわれると、ＣＰＵ３６はバス切替えスイッチ４３をマイク４８側に切替えることにより、通常の通話動作を実行する（ステップＳ４４のＹＥＳルートからステップＳ４５）。
【００９４】
このように、上述の携帯電話機３０によれば、上述のように所要のキー操作が行なわれることにより、留守モードにされると、直ぐに呼出し音を「０」にし、その後は、呼出し音調整用の電子ボリューム４５のボリューム音量の値に応じて設定された呼出し音の回数に相当する時間だけ待機したのちに、通信相手からの通話内容などを録音することできるので、留守モードにおける音声録音動作の実行までの時間を極めて簡単な手順で設定することができるようになる。
【００９５】
また、本実施例における携帯電話機３０では、留守モードに切り替えるための所要のキー操作を行なった時点で、既に留守モード状態である場合は、留守録機能制御部４１３により、着信してきた音声を直ぐにＲＡＭ４１２に蓄積することができる。
すなわち、図１７に示すように、携帯電話機３０に着呼があったことがＣＰＵ３６で検出され（ステップＳ４６）、ＣＰＵ３６がブザー５０を通じて呼出し音を送出している際（ステップＳ４７）、上述のような所要のキー操作が行なわれ、このとき既に留守モードになっていると自動的に留守モードの切替え命令がＣＰＵ３６に出され、ＣＰＵ３６は、直ちに留守モード制御部４１を制御して、着信してきた音声をＲＡＭ４１２に蓄積する（ステップＳ４８のＹＥＳルートからステップＳ５１）。
【００９６】
なお、ステップＳ４８において、上述のように所要のキー操作が行なわれた時点で留守モードになっていない場合は、予め呼出し音のボリューム音量に応じてＲＡＭ３４に設定された呼出し音の鳴動回数だけ呼出し音が鳴動され（ステップＳ５０のＮＯルート）、この間の時間が経過してから留守録動作が実行される（ステップＳ５０のＹＥＳルートからステップＳ５１）。
【００９７】
このように、上述の携帯電話機３０によれば、上述のように所要のキー操作を行なった時点で、既に留守モード状態である場合は、直ぐに通信相手からの通話内容などの音声録音動作が実行されるので、急な着呼に対しても即座に通信相手からの通話内容を録音することができるようになる。
なお、本実施例における携帯電話機３０では、留守モードに切り替えるための所要のキー操作を行なった時点で既に留守モード状態である場合は、呼出し音のボリューム音量を「０」に設定してから、着信してきた音声を直ぐにＲＡＭ４１２に蓄積することもできる。
【００９８】
すなわち、図１８に示すように、携帯電話機３０に着呼があったことがＣＰＵ３６で検出され（ステップＳ５２）、ＣＰＵ３６がブザー５０を通じて呼出し音を送出している際（ステップＳ５３）、上述のような所要のキー操作が行なわれ、このとき既に留守モードになっていると自動的に留守モードの切替え命令がＣＰＵ３６に出され、ＣＰＵ３６は、直ちに電子ボリューム４５を制御して呼出し音のボリューム音量を「０」に設定する（ステップＳ５４のＹＥＳルートからステップＳ５５）。
【００９９】
そして、その後は、予め呼出し音のボリューム音量に応じてＲＡＭ３４に設定された呼出し音の鳴動回数だけ呼出し音が鳴動され（ステップＳ５６のＮＯルート）、この間の時間が経過してから留守録動作が実行される（ステップＳ５６のＹＥＳルートからステップＳ５７）。
また、本実施例における携帯電話機３０では、モードを切り替えるための所要のキー操作を行なうことにより設定された留守モードを、１回の着呼に対してのみ有効にして、その後は通常モードに設定するようにすることもできる。
【０１００】
すなわち、図１９に示すように、携帯電話機３０に着呼があったことがＣＰＵ３６で検出され（ステップＳ５８）、何らかのキーが押下されたことが表示操作部用制御部３７からＣＰＵ３６に通知されると（ステップＳ５９）、ＣＰＵ３６では、この押下されたキーがモード切替え用のキーかどうかが判定され（ステップＳ６０）、押下されたキーがモード切替え用のキーであれば、留守モード制御部４１が起動されて留守録動作が実行され（ステップＳ６０のＹＥＳルートからステップＳ６１）、押下されたキーがモード切替え用のキーでなければ、通常モードによる通話が行なわれる（ステップＳ６０のＮＯルート）。
【０１０１】
そして、いずれの場合も、発信側の電話機からの通話が終了すると（ステップＳ６３）、携帯電話機３０は通常モードになる（ステップＳ６４）。
このように、上述の携帯電話機３０によれば、上述のようにして所要のキー操作を行なうことにより設定された留守モードは、該当着呼についてのみ有効であるので、応答したくない着呼などに対してのみ留守モードを設定して、通常の通話を行なわずにその通話内容などの音声情報を留守モード制御部４１のＲＡＭ４１２などに蓄積することができるようになる。
【０１０２】
また、本実施例における携帯電話機３０では、上述のように１回の着呼に対してのみ留守録動作を実行させるだけでなく、留守録動作を実行させたのちも留守モードを継続するように設定することもできる。
すなわち、この場合は、図２０に示すように、携帯電話機３０に着呼があったことがＣＰＵ３６で検出され（ステップＳ６５）、何らかのキーが押下されたことが表示操作部用制御部３７からＣＰＵ３６に通知されると（ステップＳ６６）、ＣＰＵ３６では、この押下されたキーがモード切替え用のキーかどうかが判定され（ステップＳ６７）、押下されたキーがモード切替え用のキーであれば、さらにこの押下されたキーが留守録動作を１回のみ実行させるためのキーであるかの判定が行なわれる（ステップＳ６８）。
【０１０３】
この結果、押下されたキーが留守録動作を１回のみ実行させるためのキーでなければ、ＣＰＵ３６が留守モード制御部４１を起動し、留守録機能制御部４１３がＲＡＭ４１２に発信側の電話機からの音声を蓄積して録音する（ステップＳ６８のＮＯルートからステップＳ６９）。
そして、発信側の電話機からの通話が終了すると（ステップＳ７０）、留守モードのまま、次の着呼を待つ（ステップＳ７１）。
【０１０４】
一方、上述のステップＳ６８において、押下されたキーが留守録動作を１回のみ実行させるためのキーであれば、ＣＰＵ３６が留守モード制御部４１を起動し、留守録機能制御部４１３がＲＡＭ４１２に発信側の電話機からの音声を蓄積して録音し（ステップＳ６８のＹＥＳルートからステップＳ６９）、その後、発信側の電話機からの通話が終了すると（ステップＳ７３）、今度は、通常モードにて次の着呼を待つ（ステップＳ７６）。
【０１０５】
なお、上述のステップＳ６７において、押下されたキーが留守モードに切り替えるためのキーでなければ、通常モードによる通話が行なわれ（ステップＳ６７のＮＯルートからステップＳ７５）、通話が終了すると（ステップＳ７５）、通常モードのまま次の着呼に対する待受動作に入る（ステップＳ７６）。
このように、上述の携帯電話機３０によれば、所要のキー操作を行なうことにより設定された留守モードは、該当着呼についてのみ有効であるだけでなく、留守録動作を実行させたのちも留守モードを継続することもできるので、通常の通話を行なわずにその通話内容などの音声情報を留守モード制御部４１のＲＡＭ４１２などに蓄積したのち、その都度、留守モードを設定しなおすという手間が省ける。
【０１０６】
なお、上述のように、留守録動作を１回のみ実行させることは、留守モードに切り替えるためのキーが押下されたのち、さらに他の任意のキーを押下するなどの操作を行なうことによっても可能であり、この場合は、上述のステップＳ６８において、留守録動作を１回のみ実行させるためのキーが押下されたかどうかの判定を行なう代わりに、図２１のステップＳ８０に示すように、モード切替え用のキーが押下されたのち、さらに何らかのキー操作が行なわれたかどうかの判定を行なえばよい。なお、他の各ステップにおける動作はそれぞれ図２０にて前述したものとそれぞれ同様である。
【０１０７】
従って、この場合、留守モードに切り替えるためのキーを押下したのち、さらにユーザの操作しやすいキーを押下することにより、簡単に該当着呼に対して留守録動作を実行させることできるようになる。
さらに、本実施例における携帯電話機３０では、モードを切り替えるための所要のキー操作を行なったのちに、留守モードを実行させる回数を設定するためのキー操作を行なって、留守モード時での留守録動作を実行させる回数を設定することもできる。
【０１０８】
ここで、具体的に、この留守モードを実行させる回数の設定は、任意のキーの押下回数によって行なえばよい。この場合は、図２２に示すように、携帯電話機３０に着呼があったことがＣＰＵ３６で検出されると（ステップＳ８９）、ＣＰＵ３６は留守録動作を実行させる残の回数が「０」であるかどうかを判定し（ステップＳ９０）、残り回数が「０」であれば、ブザー５０を通じて呼出し音を送出し（ステップＳ９０のＹＥＳルートからステップＳ９１）、残り回数が「０」でなければ、電子ボリューム４５を制御して呼出し音のボリューム音量を「０」に設定する（ステップＳ９０のＮＯルートからステップＳ９２）。
【０１０９】
その後、ＣＰＵ３６では、留守モードに切り替えるためのキーが押下されたことによる留守モード切替え命令が、キースイッチ３９，表示操作部用制御部３７を通じて出されているか否かの判定が行なわれ（ステップＳ９３）、この留守モード切替え命令が出されていれば、直ちに電子ボリューム４５を制御して呼出し音のボリューム音量を「０」に設定する（ステップＳ９３のＹＥＳルートからステップＳ９４）。
【０１１０】
さらに、ＣＰＵ３６は、この留守モードに切り替えるためのキーが何回押下されたかをカウントし（ステップＳ９５）、その後、ボリューム音量に応じて設定された呼出し音の回数分だけの時間が経過したかを判定する（ステップＳ９６）。なお、上述のステップＳ９３において、留守モード切替え命令が出ていない場合（つまり、留守モードに切り替えるためのキーが押下されていない場合）、ＣＰＵ３６は、直ぐに、ボリューム音量に応じて設定された呼出し音の回数分だけの時間が経過したかを判定する（ステップＳ９３のＮＯルートからステップＳ９６）。
【０１１１】
そして、この呼出し音の回数分だけの時間が経過していれば、ＣＰＵ３６は、留守モード制御部４１を起動し、留守モード制御部４１３は、留守録機能制御部４１３により、ユーザが留守である旨のメッセージを発信側の電話機へ向けて送出したのち、発信側の電話機からの音声をＲＡＭ４１２へ録音（蓄積）し（ステップＳ９６のＹＥＳルートからステップＳ９７）、経過していなければ、ステップ９１からの処理を繰り返す（ステップＳ９６のＮＯルート）。
【０１１２】
このように、上述の携帯電話機３０によれば、所要のキー操作を行なったあとに、留守モード回数設定のためのキー操作を行なうことにより、留守モード回数を設定することができるので、例えば、ある一定の時間の間は着呼に応答できないことが分かっている場合などにおいて、このように留守モードの回数を予め設定しておけば、この間の着呼の通話内容などを逃すことなく録音できるようになる。また、留守モードを実行させる回数の設定は、上述のようにキー押下回数に応じて行なえばよいので、設定の際の操作性も大いに向上する。
【０１１３】
なお、この場合、留守モードを実行させることができる最大回数は、音声情報を録音（蓄積）するメモリ（本実施例では、ＲＡＭ４１２）の容量などに応じて異なる。
さてここで、近年の携帯電話機は、着呼があった場合に、通話キーだけでなくどのキーを押下してもこの着呼に応答することができるという"エニーキー・アンサー"という機能をもったものが多くなってきているが、この機能をもった携帯電話機においては、着呼があった場合に、留守モードや通常モードを設定するためのキー操作を区別する必要がある。
【０１１４】
そこで、本実施例における携帯電話機３０では、呼出し音のボリューム音量を下げるためのボリュームダウンキーを押下（操作）することによって、"エニーキー・アンサー"機能を動作させずに留守モードに切り替えることができる。
すなわち、この場合は、図２３に示すように、携帯電話機３０に着呼があると、まずＣＰＵ３６により、この着呼が検出され（ステップＳ９８）、さらに何らかのキーが押下されると（ステップＳ９９）、この押下されたキーがボリュームダウンキーであるかどうかの判定が行なわれる（ステップＳ１００）。
【０１１５】
そして、ボリュームダウンキーが押下されていれば、ＣＰＵ３６は留守モード制御部４１を起動して留守録動作を実行させ（ステップＳ１００のＹＥＳルートからステップＳ１０１）、発信側の電話機からの通話が終了すれば（ステップＳ１０２）、留守モードを継続したまま次の着呼に対する待受動作に入る（ステップＳ１０３）。
一方、上述のステップＳ１００において、ボリュームダウンキー以外のキーが押下されていれば、通常モードによる通常の通話が行なわれ（ステップＳ１００のＮＯルートからステップＳ１０４）、通話が終了すると（ステップＳ１０５）、通常モードを継続したまま次の着呼に対する待受動作に入る（ステップＳ１０６）。
【０１１６】
なお、上述のステップＳ１０２で留守録動作が終了したのちは、前述したように、１回の着呼に対してのみ留守録動作が実行されるように、通常モードで次の着呼を待つようにすることもできる（ステップＳ１０７）。
このように、上述の携帯電話機３０では、上述の所要のキー操作としてボリュームダウンキー操作を行なうだけで留守モードにすることができるので、極めて簡単な操作で留守モードを設定することができるようになる。
【０１１７】
また、このとき本実施例における携帯電話機３０では、ボリュームダウンキー操作を１回行なった場合は、留守録動作を実行させて発信側の電話機からの音声を録音（蓄積）するまでに鳴動させる呼出し音の設定回数（ボリューム連動設定値）を変えず、ボリュームダウンキー操作を複数回行なった場合は、この呼出し音の設定回数を変えるようにすることもできる。
【０１１８】
すなわち、この場合は、図２４に示すように、携帯電話機３０に着呼があり、この着呼がＣＰＵ３６により検出されると（ステップＳ１０８）、まずＣＰＵ３６は、呼出し音のボリューム音量が、留守モード用のボリューム設定値以下か、通常モード用のボリューム設定値以上かを判定し（ステップＳ１０９）、呼出し音のボリューム音量が、留守モード用のボリューム設定値以下であれば、呼出し音を鳴動させ（ステップＳ１０９のＹＥＳルートからステップＳ１１０）、その後、ボリュームダウンキーが押下されたかを判定する（ステップＳ１１１）。
【０１１９】
そして、ボリュームダウンキーが押下されたことが、キースイッチ３９，表示操作部用制御部３７を通じてＣＰＵ３６で検出されると、ＣＰＵ３６は、電子ボリューム４５を制御して呼出し音をストップ（呼出し音を「０」に設定）し（ステップＳ１１２）、さらにボリュームダウンキーが押下された回数が１回かどうかを判定する（ステップＳ１１３）。
【０１２０】
このとき、ボリュームダウンキーが１回だけ押下されていれば、ＣＰＵ３６は、呼出し音の設定回数を変更せずに通話キーが押下されるなどのオフフック操作が行なわれたかどうかの判定を行ない（ステップＳ１１３のＹＥＳルートからステップＳ１１５）、ボリュームダウンキーが複数回押下されていれば、ＣＰＵ３６は、この押下された回数だけ呼出し音の回数を設定（規定）し（ステップＳ１１３のＮＯルートからステップＳ１１４）、その後、通話キーが押下されるなどのオフフック操作が行なわれたかどうかの判定を行なう（ステップＳ１１５）。
【０１２１】
そして、オフフック操作が行なわれたことがＣＰＵ３６で検出されると、ＣＰＵは、バス切替えスイッチ４３をマイク４８側に切り替えて通常モードを設定して通常の通話動作を実行し（ステップＳ１１５のＹＥＳルートからステップＳ１１８）、オフフック操作が行なわれていなければ、ＣＰＵ３６は、鳴動中の呼出し音の回数が規定回数に達したかどうかの判定を行ない（ステップＳ１１５のＮＯルートからステップＳ１１６）、規定回数に達していれば、留守モード制御部４１を起動して留守録動作を実行させる（ステップＳ１１６のＹＥＳルートからステップＳ１１４）。
【０１２２】
なお、鳴動中の呼出し音の回数が規定回数に達していない場合は、規定回数に達するまで、ステップＳ１１０からの処理を繰り返す（ステップＳ１１６のＮＯルート）。
一方、上述のステップＳ１０９において、呼出し音のボリューム音量が通常モード用のボリューム設定値以上であった場合、ＣＰＵ３６は、呼出し音を鳴動させ（ステップＳ１１９）、その後、ボリュームダウンキーが押下されたかどうかの判定を行なう（ステップＳ１２０）。
【０１２３】
この結果、ボリュームダウンキーが押下されたことがＣＰＵ３６で検出されれば、ステップＳ１１２以降の処理を行ない（ステップＳ１２０のＹＥＳルート）、ボリュームダウンキーが押下されていなければ、さらに、通話キーが押下されるなどのオフフック操作が行なわれたかどうかの判定を行なう（ステップＳ１２０のＮＯルートからステップＳ１２１）。
【０１２４】
そして、オフフック操作がＣＰＵ３６で検出されると、通常モードによる通話が行なわれ（ステップＳ１２１のＹＥＳルートからステップＳ１１８）、オフフック操作が行なわれていなければ、留守録動作を実行するか、通常モードによる通話が行なわれるまで、ステップＳ１１９からの処理が繰り返される（ステップＳ１２１のＮＯルート）。
このように、上述の携帯電話機３０によれば、ボリュームダウンキー操作を１回行なった場合は、着呼してきた通信相手からの通話内容を留守モード制御部４１のＲＡＭ４１２に蓄積して録音させるまでに鳴動させる呼出し音の回数を変えず、ボリュームダウンキー操作を２回以上の複数回行なった場合に、この呼出し音の回数を変化させるので、極めて簡単な手順で、通信相手からの通話内容を録音させるまでの時間を設定することができるようになる。
【０１２５】
また、本実施例における携帯電話機３０では、着呼があった場合に、終話キーを押下することによって"エニーキー・アンサー"機能による応答を行なわずに留守モードを設定して動作させることができる。
すなわち、この場合は、図２５に示すように、携帯電話機３０に着呼があったことがＣＰＵ３６で検出され（ステップＳ１２２）、さらに、何らかのキーが押下されたことが検出されると（ステップＳ１２３）、ＣＰＵ３６は、この押下されたキーが終話キーであるかどうかの判定を行ない（ステップＳ１２４）、終話キーが押下されていれば、留守モード制御部４１を起動して留守録動作を実行させる（ステップＳ１２４のＹＥＳルートからステップＳ１２５）。
【０１２６】
そして、発信側の電話機からの通話が終了して留守録動作が終了すると（ステップＳ１２６）、留守モードを継続したまま次の着呼を待つ（ステップＳ１２７）。
一方、上述のステップＳ１２４において、終話キー以外のキーが押下されていた場合、ＣＰＵ３６は、"エニーキー・アンサー"機能を動作して通常モードにて通常の通話動作を実行させ（ステップＳ１２４のＮＯルートからステップＳ１２８）、通話が終了すると（ステップＳ１２９）、通常モードのまま次の着呼を待つ（ステップＳ１３０）。
【０１２７】
なお、上述のステップＳ１２６で留守録動作が終了したのちは、前述したように、１回の着呼に対してのみ留守録動作が実行されるように、通常モードで次の着呼を待つようにすることもできる（ステップＳ１２６からステップＳ１３０）。
このように、上述の携帯電話機３０によれば、所要のキー操作として終話キー操作を行なうことにより留守モードに設定することができるので、この場合も、極めて簡単な手順で留守モードを設定・実行させることができ、これにより、急な着呼に対しても応答したくない場合などには、即座に留守モードに設定して通信相手からの音声情報を留守モード制御部４１のＲＡＭ４１２に蓄積して録音することができるようになる。
【０１２８】
さらに、本実施例における携帯電話機３０では、留守モード設定用の専用キー（機能キー）が設けられている場合、着呼があった場合に、留守モードを設定するための所要のキー操作としてこの専用キーを押下するだけで、"エニーキー・アンサー"機能を動作させずに留守モードを設定することができる。
すなわち、この場合は、図２６に示すように、携帯電話機３０に着呼があったことがＣＰＵ３６で検出され（ステップＳ１３１）、さらに、何らかのキーが押下されたことが検出されると（ステップＳ１３２）、ＣＰＵ３６は、この押下されたキーが留守モード設定用の専用キーであるかどうかの判定を行ない（ステップＳ１３３）、専用キーが押下されていれば、留守モード制御部４１を起動して留守録動作を実行させる（ステップＳ１３３のＹＥＳルートからステップＳ１３４）。
【０１２９】
そして、発信側の電話機からの通話が終了して留守録動作が終了すると（ステップＳ１２６）、留守モードを継続したまま次の着呼を待つ（ステップＳ１２７）。
一方、上述のステップＳ１３３において、専用キー以外のキーが押下されていた場合、ＣＰＵ３６は、このキー押下により"エニーキー・アンサー"機能を動作して通常モードにて通常の通話動作を実行させ（ステップＳ１３３のＮＯルートからステップＳ１３７）、通話が終了すると（ステップＳ１３８）、通常モードのまま次の着呼を待つ（ステップＳ１３９）。
【０１３０】
なお、この場合も、上述のステップＳ１３５で留守録動作が終了したのちは、前述したように、１回の着呼に対してのみ留守録動作が実行されるように、通常モードで次の着呼を待つようにすることもできる（ステップＳ１３５からステップＳ１３９）。
このように、上述の携帯電話機３０によれば、所要のキー操作として留守モード設定専用のキーによるキー操作により留守モードに設定することができるので、この場合も、極めて簡単な手順で留守モードを設定・実行させることができ、これにより、急な着呼に対しても応答したくない場合などには、即座に留守モードに設定して通信相手からの音声情報を留守モード制御部４１のＲＡＭ４１２に蓄積して録音することができるようになる。
【０１３１】
また、本実施例における携帯電話機３０では、着呼があった場合に、任意のキーをある一定時間（所定時間）以上継続して押下（操作）することによって、"エニーキー・アン
サー"機能による応答を行なわずに、留守モードを設定することもできる。
すなわち、この場合は、図２７に示すように、携帯電話機３０に着呼があったことがＣＰＵ３６で検出され（ステップＳ１４０）、さらに、何らかのキーが押下されたことが検出されると（ステップＳ１４１）、まず、ＣＰＵ３６は、この押下されたキーが所定の時間以上継続して押下され続けたかどうかの判定を行ない（ステップＳ１４２）、所定の時間以上キーが押下され続けていれば、留守モード制御部４１を起動して留守録動作を実行させる（ステップＳ１４２のＹＥＳルートからステップＳ１４３）。
【０１３２】
そして、発信側の電話機からの通話が終了して留守録動作が終了すると（ステップＳ１４４）、留守モードを継続したまま次の着呼を待つ（ステップＳ１４５）。
一方、上述のステップＳ１４２において、キーが押下され続けた時間が所定の時間以下であった場合、ＣＰＵ３６は、"エニーキー・アンサー"機能を動作して通常モードにて通常の通話動作を実行させ（ステップＳ１４２のＮＯルートからステップＳ１４６）、通話が終了すると（ステップＳ１４７）、通常モードのまま次の着呼を待つ（ステップＳ１４８）。
【０１３３】
なお、この場合も、上述のステップＳ１４４で留守録動作が終了したのちは、前述したように、１回の着呼に対してのみ留守録動作が実行されるように、通常モードで次の着呼を待つようにすることもできる（ステップＳ１４４からステップＳ１４８）。
このように、上述の携帯電話機３０によれば、任意のキー操作を所定時間以上継続して行なうことにより留守モードを設定することができるので、極めて簡単な手順で留守モードを設定することができるとともに、急な着呼に対しても応答したくない場合などには、即座に留守モードを設定・動作させて、着呼してきた通信相手からの音声情報などを録音することができるようになる。
【０１３４】
さらに、本実施例における携帯電話機３０では、着呼があった場合に、任意のキーをある一定時間（所定時間）内に２回連続して押下（操作）することによって、"エニーキー・アンサー"機能による応答を行なわずに、留守モードを設定することもできる。
すなわち、この場合は、図２８に示すように、携帯電話機３０に着呼があったことがＣＰＵ３６で検出され（ステップＳ１４９）、さらに、何らかのキーが押下されたことが検出されると（ステップＳ１５０）、まず、ＣＰＵ３６は、このキーが所定の時間内に２回以上連続して押下されたかどうかの判定を行ない（ステップＳ１５１）、２回以上連続して押下されていれば、留守モード制御部４１を起動して留守録動作を実行させる（ステップＳ１５１のＹＥＳルートからステップＳ１５２）。
【０１３５】
そして、発信側の電話機からの通話が終了して留守録動作が終了すると（ステップＳ１５３）、留守モードを継続したまま次の着呼を待つ（ステップＳ１５４）。
一方、上述のステップＳ１５１において、所定の時間内に２回以上キーが押下されなかった場合、ＣＰＵ３６は、１回目に押下されたキーにより"エニーキー・アンサー"機能を作動して通常モードにて通常の通話動作を実行させ（ステップＳ１５１のＮＯルートからステップＳ１５５）、通話が終了すると（ステップＳ１５６）、通常モードのまま次の着呼を待つ（ステップＳ１５７）。
【０１３６】
なお、この場合も、上述のステップＳ１５３で留守録動作が終了したのちは、前述したように、１回の着呼に対してのみ留守録動作が実行されるように、通常モードで次の着呼を待つようにすることもできる（ステップＳ１５３からステップＳ１５７）。
このように、上述の携帯電話機３０によれば、また、任意のキーを所定時間内に複数回行なうことによっても留守モードを設定することができるので、この場合も極めて簡単な手順で留守モードを設定することができるとともに、急な着呼に対しても応答したくない場合などには、即座に留守モードを設定・動作させて、着呼してきた通信相手からの音声情報などを録音することができるようになる。
【０１３７】
また、本実施例における携帯電話機３０では、着呼があった場合に、任意のキーを２つ以上同時に押下（操作）することによって、"エニーキー・アンサー"機能による応答を行なわずに、留守モードを設定することもできる。
すなわち、この場合は、図２９に示すように、携帯電話機３０に着呼があったことがＣＰＵ３６で検出され（ステップＳ１５８）、さらに、何らかのキーが押下（操作）されたことが検出されると（ステップＳ１５９）、まず、ＣＰＵ３６は、２つ以上の異なるキーが同時に押下されたかどうかの判定を行ない（ステップＳ１６０）、同時に押下されていれば、留守モード制御部４１を起動して留守録動作を実行させる（ステップＳ１６０のＹＥＳルートからステップＳ１６１）。
【０１３８】
そして、発信側の電話機からの通話が終了して留守録動作が終了すると（ステップＳ１６２）、留守モードを継続したまま次の着呼に対する待受動作に入る（ステップＳ１６３）。
一方、上述のステップＳ１６０において、２つ以上のキーが同時に押下されなかった場合、ＣＰＵ３６は、"エニーキー・アンサー"機能を作動して通常モードにて通常の通話動作を実行させ（ステップＳ１６０のＮＯルートからステップＳ１６４）、通話が終了すると（ステップＳ１６５）、通常モードのまま次の着呼に対する待受動作に入る（ステップＳ１６６）。
【０１３９】
なお、この場合も、上述のステップＳ１６２で留守録動作が終了したのちは、前述したように、１回の着呼に対してのみ留守録動作が実行されるように、通常モードで次の着呼に対する待受動作に入るようにすることもできる（ステップＳ１６２からステップＳ１６６）。
このとき、具体的には、任意のキーと呼出し音の音量を調整するボリュームキーとを同時に押下することにより、留守モードまたは通常モードを設定することができる。
【０１４０】
すなわち、図３０に示すように、携帯電話機３０が通常モードである状態で（ステップＳ１６８）、何らかのキーが押下されたことが、キースイッチ３９，表示操作部用制御部３７を通じてＣＰＵ３６で検出されると（ステップＳ１６９）、まずＣＰＵ３６は、２つ以上の異なるキーが同時に押下されたのかどうかの判定を行なう（ステップＳ１７０）。
この結果、２つ以上の異なるキーが同時に押下されていれば、さらにＣＰＵ３６は、少なくとも任意のキーとボリュームキーとが同時に押下されているかどうかを判定し（ステップＳ１７０のＹＥＳルートからステップＳ１７１）、同時に押下されていれば、バス切替えスイッチを留守モード制御部４１側に切り替えることによりモードを通常モードから留守モードに切替える（ステップＳ１７２，ステップＳ１７３）。
【０１４１】
その後、このように携帯電話機３０が留守モードとなっている状態で、さらに何らかのキーが押下されたことがＣＰＵ３６で検出されると（ステップＳ１７４）、さらにＣＰＵ３６は、２つ以上の異なるキーが押下されたのかどうかを判定し（ステップＳ１７５）、２つ以上の異なるキーが押下されていれば、さらにこれらの同時に押下されたキーが少なくとも任意のキーとボリュームキーであるかを判定する（ステップＳ１７５のＹＥＳルートからステップＳ１７６）。
【０１４２】
この結果、任意のキーとボリュームキーとが同時に押下されていれば、ＣＰＵ３６は、バス切替えスイッチ４３をマイク４８側に切替えることにより、モードを留守モードから通常モードに切替える（ステップＳ１７６のＹＥＳルートからステップＳ１６８）。
一方、上述のステップＳ１７０又はステップＳ１７５において、何らかのキーが押下されてはいるが、２つ以上の異なるキーが同時に押下されていない場合は、いずれも"エニ
ーキー・アンサー"機能による通常の通話処理が行なわれる。
【０１４３】
また、上述のステップＳ１７１又はステップＳ１７６において、２つ以上の異なるキーが押下されたが、それが任意のキーとボリュームキーではなかった場合は、いずれも再び何らかのキーが押下されるまでＣＰＵ３６は処理を待機する（ステップＳ１７１又はステップＳ１７６のＮＯルート）。
このように、上述の携帯電話機３０によれば、任意の異なるキーを同時に押下する、例えば、任意のキーとボリュームキーとを同時に押下することによっても留守モードの設定を行なことができるので、特に、携帯電話機のように、配置できるキーの数が制限され留守モード設定専用のキーを設けることができない電話機などでも、極めて簡単な操作で留守モードの設定を行なうことができるようになる。
【０１４４】
ここで、本実施例における携帯電話機３０では、上述のように留守モードが設定されると、着呼があった際の呼出し音のボリューム音量を自動的に「０」に設定することができる。
すなわち、図３１に示すように、携帯電話機３０に着呼があったことがＣＰＵ３６で検出され（ステップＳ１７８）、さらに、何らかのキー操作が行なわれたことが検出されると（ステップＳ１７９）、まず、ＣＰＵ３６は、そのキー操作がモードを切替えて留守モードを設定するための操作であるかどうかの判定を行ない（ステップＳ１８０）、留守モードを設定するための操作であれば、電子ボリューム４５のボリューム音量を「０」に設定して呼出し音を「０」にし（ステップＳ１８０のＹＥＳルートからステップＳ１８１）、さらに留守モード制御部４１を起動して留守録動作を実行させる（ステップＳ１８２）。
【０１４５】
そして、発信側の電話機からの通話が終了して留守録動作が終了すると（ステップＳ１８３）、留守モードを継続したまま次の着呼に対する待受動作に入る（ステップＳ１８４）。
一方、上述のステップＳ１８０において、携帯電話機３０で行なわれた操作が留守モードを設定するためのキー操作でなければ、ＣＰＵ３６は、"エニーキー・アンサー"機能を作動して通常モードにて通常の通話動作を実行させ（ステップＳ１８０のＮＯルートからステップＳ１８５）、通話が終了すると（ステップＳ１８６）、通常モードのまま次の着呼に対する待受動作に入る（ステップＳ１８７）。
【０１４６】
なお、この場合も、上述のステップＳ１８３で留守録動作が終了したのちは、前述したように、１回の着呼に対してのみ留守録動作が実行されるように、通常モードで次の着呼に対する待受動作に入るようにすることもできる（ステップＳ１８３からステップＳ１８７）。
そして、本実施例における携帯電話機３０では、上述のように留守モードが設定された状態で、呼出し音のボリューム音量を上げることによって、留守モードを解除することができる。
【０１４７】
すなわち、この場合は、図３２に示すように、携帯電話機３０が留守モードにて着呼の待受状態となっている場合（ステップＳ１８８）、ＣＰＵ３６は、何らかのキー操作（キー押下）が行なわれたかどうかの判定を繰り返し行なっており（ステップＳ１８９のＮＯルート）、もし何らかのキーが押下されると、さらにＣＰＵ３６は、この押下されたキーがボリューム音量を上げるためのボリュームアップキーであるかどうかを判定する（ステップＳ１８９のＹＥＳルートからステップＳ１９０）。
【０１４８】
この結果、ボリュームアップキーが押下されていれば、ＣＰＵ３６は、バス切替えスイッチ４３をマイク４８側に切り替えることにより、留守モードから通常モードへのモードの切替えを行ない（ステップＳ１９１）、通常モードでの着呼の待受動作に入る（ステップＳ１９２）。
なお、上述のステップＳ１９０において、キー操作は行なわれたがそのキー操作がボリュームアップキーを押下する操作でなかった場合は、ＣＰＵ３６は留守モードを解除せずにそのまま留守モードでの着呼の待受動作となる（ステップＳ１９０のＮＯルートからステップＳ１９３）。
【０１４９】
このように、上述の携帯電話機３０によれば、例えば、着呼に応答したくないために留守モードを設定すると、自動的に呼出し音をゼロに設定し、また、着呼に応答したいために呼出し音のボリューム音量を上げると、留守モードが自動的に解除されるので、利用者の意思に応じて自動的に留守モードの設定・解除を行なうことができるようになり、留守モード設定の操作性も大幅に向上する。
【０１５０】
なお、この場合も、留守モードを設定した場合は、ＣＰＵ３６が送信音声ミュート部４６（図７参照）を制御して携帯電話機３０からの音声の送信状態をミュート状態にすることができる。
また、本実施例における携帯電話機３０では、携帯電話機３０用の電源（図示略）の電圧値と、予めＲＡＭ３４に設定されている留守モード用の電圧設定値（留守モード設定用電圧値）とをＣＰＵ３６が比較して、通常モードでの着呼の待受動作中に、携帯電話機３０用の電源の電圧値が、この留守モード用の電圧設定値以下となった場合に、携帯電話機３０のモードを切り替えて留守モードを設定することができる。
【０１５１】
すなわち、この場合は、図３３に示すように、通常モードでの着呼の待受動作中に（ステップＳ１９７）、ＣＰＵ３６が携帯電話機３０用の電源の電圧値を測定して（ステップＳ１９５）、この携帯電話機３０用の電源の電圧値が、ＲＡＭ３４に設定されている留守モード用の電圧設定値以下になっているかどうかをチェックしている（ステップＳ１９６）。
【０１５２】
そして、携帯電話機３０用の電源の電圧値がメモリに設定されている所定の電圧値以下になったことがＣＰＵ３６で検出されると、ＣＰＵ３６は、バス切替えスイッチ４３を留守モード制御部４１側に切替えることにより、留守モードを設定し（ステップＳ１９６のＹＥＳルートからステップＳ１９７）、留守モードでの着呼の待受動作に入る（ステップＳ１９８）。
【０１５３】
なお、上述のステップＳ１９６において、携帯電話機３０用の電源の電圧値が所定の電圧以下になっていなければ、ＣＰＵ３６は、引続き携帯電話機３０用の電源の電圧を測定し続ける（ステップＳ１９６のＮＯルート）。
このように、上述の携帯電話機３０によれば、携帯電話機３０用の電源の電圧値が留守モード用の設定値以下であると、ＣＰＵ３６が、自動的に、留守モードを設定するので、携帯電話機３０の消費電力を大幅に節約することができるようになる。
【０１５４】
また、本実施例における携帯電話機３０では、留守モードと通常モードとのモードの切替え（設定）をタイマによって行なうことができる。
まず、留守モードを設定する場合は、図３４（ａ）に示すように、ＣＰＵ３６が留守モードを設定（オン）にするためのタイマをスタートさせ（ステップＳ２０１）、通常モードでの着呼の待受動作中に（ステップＳ２０２）、タイマがタイムアウトしたかどうかを判定する（ステップＳ２０３）。
【０１５５】
そして、タイマがタイムアウトしたことがＣＰＵ３６で検出されると、ＣＰＵ３６はバス切替えスイッチ４３を留守モード制御部４１側に切り替えて留守モードを設定し（ステップＳ２０４）、そのまま、留守モードでの着呼の待受動作に入る（ステップＳ２０５）。
一方、留守モードを解除して通常モードを設定する場合は、図３４（ｂ）に示すように、ＣＰＵ３６が留守モードを解除（オフ）にするためのタイマをスタートさせ（ステップＳ２０１′）、留守モードでの着呼の待受動作中に（ステップＳ２０２′）、タイマがタイムアウトしたかどうかを判定する（ステップＳ２０３′）。
【０１５６】
そして、タイマがタイムアウトしたことがＣＰＵ３６で検出されると、ＣＰＵ３６はバス切替えスイッチ４３をマイク４８側に切り替えて留守モードを解除し（ステップＳ２０４′）、そのまま、通常モードでの着呼の待受動作に入る（ステップＳ２０５′）。
このように、上述の携帯電話機３０によれば、タイマでの計時結果が留守モード用設定値になると、留守モードが設定されるので、ユーザの不在などの理由により携帯電話機３０が長時間放置されても、自動的に留守モードが設定され、これにより予め留守モードを設定しておくことを忘れた場合でも、着呼してきた通信相手からの通話内容などの音声情報を逃すことなく蓄積・録音することができるとともに、携帯電話機３０の消費電力も大幅に節約できるようになる。
【０１５７】
さらに、本実施例における携帯電話機３０では、上述のタイマとして時刻を刻むタイマ（実時間タイマ）を用いることにより、留守モードを設定又は解除する時刻を予め設定しておけば、この指定時刻に、自動的に留守モードの設定又は解除が行なわれるようにすることができる。なお、これらの指定時刻は、携帯電話機３０のテンキーなどからの入力に応じて、キースイッチ３９，表示操作部用制御部３７を経由してＣＰＵ３６によりＲＡＭ３４に書き込まれて記憶されるようになっている。
【０１５８】
そして、この場合は、図３５に示すように、携帯電話機３０が通常モードでの着呼の待受動作中に（ステップＳ２０６）、ＣＰＵ３６が、ＲＡＭ３４に予め設定された留守モード設定用の指定時刻を読み出し、この指定時刻とＣＰＵ３６内のタイマが刻んでいる時刻とを比較しており（ステップＳ２０７）、指定時刻になったと判定すると、ＣＰＵ３６は、バス切替えスイッチ４３を留守モード制御部４１側に切り替えることにより、留守モードを設定し（ステップＳ２０８）、留守モードでの着呼の待受動作に入る（ステップＳ２０９）。なお、上述のステップＳ２０７において、ＣＰＵ３６内のタイマでの時刻が指定時刻になっていない間は、留守モードの設定は行なわれない（ステップＳ２０７のＮＯルート）。
【０１５９】
さらに、このように留守モードが設定された後は、ＣＰＵ３６は、今度はＲＡＭ３４から留守モード解除用の指定時刻を読み出し、この指定時刻とＣＰＵ３６内で刻んでいる時刻とを比較して、タイマの時刻が指定時刻になったかどうかを判定しており（ステップＳ２１０）、指定時刻になったと判定すると、ＣＰＵ３６は、バス切替えスイッチ４３をマイク４８側に切り替えることにより、留守モードを解除して通常モードを設定し（ステップＳ２１１）、通常モードでの待受動作に入る（ステップＳ２１２）。なお、上述のステップＳ２１０において、ＣＰＵ３６内のタイマでの時刻が指定時刻になっていない間は、留守モードの解除は行なわれない。以降は、上述と同様の処理が繰り返される。
【０１６０】
このように、上述の携帯電話機３０によれば、ユーザの指定時刻に留守モードを設定できるので、特に、予めユーザが不在となる時間が分かっている場合などに、効果的に留守モードを設定することができるようになるとともに、この場合も、携帯電話機３０の消費電力が大幅に節約できるようになる。
また、本実施例における携帯電話機３０では、ＣＰＵ３６内のタイマとして携帯電話機３０の発着呼が断となるとともにスタート（トリガ）され所定の時間だけ時間を刻むタイマを用いることにより、携帯電話機３０の発着呼断後、所定の時間が経過した場合に、自動的に留守モードが設定／解除されるようにすることもできる。
【０１６１】
すなわち、まず、留守モードが設定される場合は、図３６に示すように、携帯電話機３０での発着呼が断となると（ステップＳ２１３）、ＣＰＵ３６は、内部の留守モード設定用のタイマをスタートさせ（ステップＳ２１４）、携帯電話機３０での発着呼があったかどうかの判定を行なう（ステップＳ２１５）。
このとき、携帯電話機３０に発着呼があった場合は、ＣＰＵ３６は、上述のタイマをリセットしてから再びスタートさせ（ステップＳ２１５のＹＥＳルート）、発着呼がなかった場合は、このタイマがタイムアウトしたかどうかの判定を行ない（ステップＳ２１５のＮＯルートからステップＳ２１６）、タイムアウトしていれば、ＣＰＵ３６が、バス切替えスイッチを留守モード制御部４１側に切り替えることにより、留守モードが設定される（ステップＳ２１７）。
【０１６２】
なお、上述のステップＳ２１６において、タイマがタイムアウトしていなければ、ＣＰＵ３６は、上述のステップＳ２１５における発着呼があるかどうかの判定を行なう（ステップＳ２１６のＮＯルート）。
このように、上述の携帯電話機３０によれば、発着呼断後、所定時間が経過すると、自動的に留守モードが設定されるので、予め留守モードに設定することを忘れて携帯電話機３０が長時間放置されることになっても、着呼してきた通信相手からの通話内容などの音声情報を逃すことなく蓄積・録音できるとともに、携帯電話機３０の消費電力も大幅に節約することができるようになる。
【０１６３】
なお、留守モードが解除される場合は、図３７に示すように、携帯電話機３０での発着呼が断となると（ステップＳ２１３′）、ＣＰＵ３６は、内部の留守モード設定用のタイマをスタートさせ（ステップＳ２１４′）、携帯電話機３０での発着呼があったかどうかの判定を行なう（ステップＳ２１５′）。
このとき、携帯電話機３０に発着呼があった場合は、ＣＰＵ３６は、上述のタイマをリセットしてから再びスタートさせ（ステップＳ２１５′のＹＥＳルート）、発着呼がなかった場合は、このタイマがタイムアウトしたかどうかの判定を行ない（ステップＳ２１５′のＮＯルートからステップＳ２１６′）、タイムアウトしていれば、ＣＰＵ３６が、バス切替えスイッチをマイク４８側に切り替えることにより、留守モードが解除され通常モードが設定される（ステップＳ２１７′）。
【０１６４】
なお、上述のステップＳ２１６′において、タイマがタイムアウトしていなければ、ＣＰＵ３６は、上述のステップＳ２１５′における発着呼があるかどうかの判定を行なう（ステップＳ２１６のＮＯルート）。
さらに、本実施例における携帯電話機３０では、マイクを通じて入力されるユーザの音声の内容を音声認識制御部４２により識別することができるので、ユーザの音声によって留守モードを設定又は解除することができる。
【０１６５】
まず、留守モードを設定する場合は、図３８に示すように、ユーザがマイク４８を通じて音声を入力すると（ステップＳ２２１）、この音声信号が音声認識制御部４２へ入力され、音声認識制御部４２では、入力された音声の内容が留守モード設定用のキーワードであるかどうかが識別される（ステップＳ２２２）。
そして、この音声認識制御部４２による識別の結果、マイク４８を通じて入力された音声の内容が留守モード設定用のキーワードでなければ、上述のステップＳ２２１からの処理を繰り返して入力された音声内容の識別を行なうが（ステップＳ２２２のＮＯルート）、留守モード設定用のキーワードであった場合、音声認識制御部４２がこの識別結果をＣＰＵ３６に通知し、ＣＰＵ３６は、留守モードを設定してもよいかどうかをユーザに確認するための音声をスピーカ４９から送出する（ステップＳ２２３）。
【０１６６】
これにより、ユーザが、留守モードを設定してもよいという確認を音声入力又はキー操作などで行なうと、ＣＰＵ３６はバス切替えスイッチ４３を留守モード制御部４１側に切り替えることにより留守モードを設定し（ステップＳ２２４のＹＥＳルートからステップＳ２２５）、その後、携帯電話機３０は、この留守モードでの着呼の待受動作に入る（ステップＳ２２６）。
【０１６７】
なお、上述のようなユーザによる留守モードを設定してもよいという確認が行なわれない場合は、ＣＰＵ３６は留守モードを設定せずに、通常モードでの待受動作となる（ステップＳ２２４のＮＯルートからステップＳ２２７）。
一方、留守モードを解除する場合も、図３９に示すように、ユーザがマイク４８を通じて音声を入力すると（ステップＳ２２１′）、この音声信号が音声認識制御部４２へ入力され、音声認識制御部４２では、今度は、入力された音声の内容が留守モード解除用のキーワードであるかどうかが識別される（ステップＳ２２２′）。
【０１６８】
そして、この音声認識制御部４２による識別の結果、マイク４８を通じて入力された音声の内容が留守モード解除用のキーワードでなければ、上述のステップＳ２２１′からの処理を繰り返し、入力された音声内容の識別を行なうが（ステップＳ２２２′のＮＯルート）、識別結果が留守モード解除用のキーワードであった場合、音声認識制御部４２がこの識別結果をＣＰＵ３６に通知し、ＣＰＵ３６は、留守モードを解除してもよいかどうかをユーザに確認するための音声をスピーカ４９から送出する（ステップＳ２２３′）。
【０１６９】
これにより、ユーザが、留守モードを解除してもよいという確認を音声入力又はキー操作などで行なうと、ＣＰＵ３６はバス切替えスイッチ４３をマイク４８側に切り替えることにより留守モードを解除して通常モードを設定し（ステップＳ２２４′のＹＥＳルートからステップＳ２２５′）、その後、携帯電話機３０は、この留守モードでの着呼の待受動作に入る（ステップＳ２２６′）。
【０１７０】
なお、上述のようなユーザによる留守モードを解除してもよいという確認が行なわれない場合は、ＣＰＵ３６は留守モードを解除せずに、そのまま留守モードが継続され、留守モードでの待受動作となる（ステップＳ２２４′のＮＯルートからステップＳ２２７′）。
このように、上述の携帯電話機３０によれば、複雑なキー操作を行なうことなく、音声のみで留守モード及び通常使用モードの設定・解除を行なうことができるので、携帯電話機３０の操作性が大幅に向上する。
【０１７１】
さらに、本実施例における携帯電話機３０では、着呼時に、着呼してきた通信相手に応じた電話番号情報やＩＤなどの識別情報から、着呼してきた通信相手に応じて留守モードを設定又は解除することもできる。なお、通常モード又は留守モードを設定する通信相手に対応する識別情報は、予めユーザによりＣＰＵ３６を通じてＲＡＭ３４に登録しておく。
【０１７２】
そして、この場合は、図４０に示すように、携帯電話機３０に着呼があり、この着呼がＣＰＵ３６で検出されると（ステップＳ２３１）、ＣＰＵ３６は、この着呼してきた信号から通信相手の電話番号情報やＩＤなどの識別情報を抽出して確認し（ステップＳ２３２）、この識別情報と、ＲＡＭ３４などに予め登録された通信相手に応じてモードを設定するための登録情報とを比較する（ステップＳ２３３）。
【０１７３】
この結果、着呼してきた通信相手の識別情報が、着呼に応答したい通信相手として登録されていないことがＲＡＭ３４の登録情報からわかると、ＣＰＵ３６は、着呼してきた通信相手に応答する必要がないものとして、留守モード制御部４１を起動して、留守録動作を実行させ（ステップＳ２３３のＮＯルートからステップＳ２３４）、その後、通信相手からの通話が終了して留守録動作が終了すると（ステップＳ２３５）、ＣＰＵ３６は留守モードを継続したまま次の着呼の待受動作に入る（ステップＳ２３６）。
【０１７４】
一方、上述のステップＳ２３３において、着呼してきた通信相手の識別情報が、着呼に応答したい通信相手としてＲＡＭ３４などに登録されていれば、ＣＰＵ３６は、通常通り、呼出し音を鳴動させ（ステップＳ２３３のＹＥＳルートからステップＳ２３７）、その後、通信相手との通常の通話が終了すると（ステップＳ２３８）、ＣＰＵ３６は再び留守モードにて次の着呼の待受動作に入る（ステップＳ２３６）。
【０１７５】
このように、上述の携帯電話機３０によれば、着呼があった際、例えば、応答したい通信相手に対しては通常モードで通常の通話を行ない、応答したくない通信相手に対しては留守モードで通信相手からの通話内容などの音声情報を蓄積・録音することができるので、応答したくない通信相手とは直接通話を行なわなくても、その用件を確認することができる。
【０１７６】
（ｂ）第２実施例の説明
図４１は本発明の第２実施例としての携帯電話機（モード切替え式電話機）の構成を示すブロック図であるが、この図４１に示すように、本実施例における携帯電話機３０Ｂでは、第１実施例の図７にて前述した留守録機能制御部４１３の代わりに簡易ページャ機能制御部４１３′を用いて留守モード制御部４１′が構成されている。なお、この図４１において、図７中と同一符号が指す部分は、図７にて前述したものとそれぞれ同様のものである。
【０１７７】
ここで、この簡易ページャ機能制御部４１３′は、留守モード時に着呼してきた通信相手からの通話内容（メッセージなど）を、第１実施例にて前述した留守録機能制御部４１３のように音声情報としてＲＡＭ４１２に蓄積して録音させるよう制御するのではなく、文字情報としてＲＡＭ４１２に蓄積させるよう制御するものである。
つまり、第１実施例の携帯電話機３０でいう「留守モード」が着呼してきた通信相手からのメッセージなどを音声情報として蓄積（録音）させるモードであったのに対し、本実施例の携帯電話機３０Ｂでいう「留守モード」は、着呼してきた通信相手からのメッセージなどを文字情報として蓄積（録音）させるモードということになる。
【０１７８】
従って、本実施例の携帯電話機３０Ｂにおける「留守モード」の設定や解除などの各動作には、それぞれ第１実施例にて前述した動作を適用することができる。
すなわち、本実施例における携帯電話機３０Ｂでも、呼出し音のボリューム音量に応じて、通常モードと留守モードとの切替え（設定）を行なうことができる。
具体的には、呼出し音のボリューム音量が留守モード用のボリューム値以下であれば、メインＣＰＵ３６は、留守モード制御部４１′を起動するとともに、バス切替えスイッチ４３を留守モード制御部４１側に切り替えることにより留守モードを設定し、逆に、呼出し音のボリューム音量が留守モード用のボリューム値以下でない場合は、留守モードは設定しない。
【０１７９】
一方、留守モードが設定されている状態で、呼出し音のボリューム音量が通常モード用のボリューム値以上であれば、マイク４８から入力される音声が無線部３１を通じて送出されるように、バス切替えスイッチ４３がマイク４８側に切替えられることにより留守モードが解除される（通常モードが設定される）。なお、呼出し音のボリューム音量が通常モード用のボリューム値以上でない場合は、留守モードは解除されない。
【０１８０】
つまり、本実施例でも、例えば、呼出音のボリューム音量（電子ボリューム４５のボリューム値）が「０〜１０」まで存在し、留守モード用のボリューム音量を「３」，通常モード用のボリューム音量を留守モード用のボリューム音量「３」以上の「７」に設定しておいた場合、呼出し音のボリュームを「３」以下にすれば自動的に留守モードになり、「７」以上にすれば留守モードが解除されて通常モードになるのである。
【０１８１】
従って、着呼に応答したくないなどの場合には、呼出し音を小さくして呼出し音のボリューム音量を留守モード用設定値以下にしておき、逆に、着呼に応答したい場合には、呼出し音を大きくして呼出し音のボリューム音量を通常モード用設定値以上にしておけば、自動的に、留守モード又は通常モードが設定されるので、例えば、呼出し音のボリューム音量を小さくしておいたために着呼に気づかない場合でも、留守モードにて自動的に通信相手からの通話内容を、本実施例の携帯電話機３０Ｂでは、文字情報として蓄積することができるようになる。
【０１８２】
なお、上述の留守モード用のボリューム設定値，通常モード用のボリューム設定値は可変であり、上述の通常モード用設定値を、留守モード用設定値以上の値として設定すれば、通常モードになる場合と留守モードになる場合とを明確にでき、確実に通常モードと留守モードとを切り替えることができる。
また、上述のように、ＲＡＭ３４における通常モード用設定値，留守モード用設定値はユーザにより設定変更することができるので、通常モード，留守モードが設定される呼出し音のボリューム音量の設定をユーザにとって都合よく自由に変更することができる。
【０１８３】
また、本実施例における携帯電話機３０Ｂでは、予めＲＡＭ３４に設定しておく留守モード用のボリューム音量を「０」に設定しておけば、ユーザが着呼に応答したくない場合などに呼出し音が鳴らないように「０」にすれば、自動的に留守モードが設定され、ボリューム音量が「０」以外の値であれば、通常モードが設定されるようにすることもできる。
【０１８４】
従って、留守モード用設定値を、呼出音がゼロに相当する値に設定しておくことにより、着呼に応答したくないために呼出し音をゼロにしておいた場合でも、着呼があれば自動的に留守モードになるので、通信相手からの通話内容などを逃すことなく確実に文字情報として蓄積できるようになる。また、このように呼出し音をゼロに設定しておいたことを忘れていて着呼があっても気づかない場合でも、通信相手からの通話内容などを逃すことなく確実に文字情報として蓄積することができる。
【０１８５】
ここで、携帯電話機３０Ｂに着呼があってから留守モードを実行させるまでには、通常、ある程度、呼出し音を鳴動させるが、本実施例でも、留守モード下で通信相手からのメッセージなどを、留守モード制御部４１′のＲＡＭ４１２に文字情報として蓄積させるまでに鳴動させる呼出し音の回数を、呼出し音調整用の電子ボリューム４５のボリューム音量に応じて設定することができるので、留守モードを実行するまでに鳴動させる呼出し音の回数を、予め個別に設定しておく必要がなく、これにより携帯電話機３０Ｂの操作性が大幅に向上する。
【０１８６】
また、本実施例における携帯電話機３０Ｂでも、留守モードが予め設定されている場合は、呼出し音のボリューム音量とは無関係に留守モードが継続される一方、留守モードに予め設定されていない場合は、呼出し音のボリューム音量とＲＡＭ３４に設定されている留守モード用のボリューム値とが比較され、呼出し音のボリューム音量が、留守モード用のボリューム値以下であれば、留守モードが設定され、そうでなければ通常モードが設定される。
【０１８７】
一方、通常モード設定用のキーなどにより予め通常モードに設定されている場合は、留守モード設定用のキーが押下されるなどによって留守モードが設定されない限り、呼出し音のボリューム音量とは無関係に通常使用モードが継続され、予め通常モードに設定されていない場合には、呼出し音のボリューム音量と、通常モード用のボリューム値，留守モード用のボリューム設定値とが比較され、呼出し音のボリューム音量が留守モード用のボリューム設定値以下になっていれば留守モードが設定され、呼出し音のボリューム音量が通常モード用のボリューム設定値以上になっていれば通常モードが設定される。
【０１８８】
従って、ユーザが着呼に応答したくないので呼出し音を小さくした場合やこのように呼出し音を小さくしたことを忘れてしまって着呼に気づかない場合などでも、確実に、着呼に応答してその情報を蓄積することができるようになる。
なお、本実施例でも、上述のように留守モードが設定されると、いずれの場合も、自動的にＣＰＵ３６がミュート部４６を制御してマイク４８からの送信音声をミュート（送信レベルがゼロ）状態にし、逆に、通常モードが設定されると、自動的にＣＰＵ３６がミュート部４６を制御してこのミュート状態を開放する。
【０１８９】
従って、通常、留守モードでは使用されないマイク４８などの消費電力を削減することができるので、携帯電話機３０Ｂの消費電力も大幅に削減できるようになる。
さらに、本実施例の携帯電話機３０Ｂでも、着呼があったことがＣＰＵ３６で検出され、且つ、留守モードを設定するための所要のキー操作が行なわれたことがＣＰＵ３６で検出されると、自動的に留守モードが設定されるので、複雑な手順を必要とせずに、極めて容易に、留守モードを設定することができるようになる。なお、具体的に、携帯電話機３０Ｂでの所要のキー操作とは、例えば、モード切替え用のキーを押下するなどの操作である。
【０１９０】
また、本実施例における携帯電話機３０Ｂでは、モードを切り替えるための所要のキー操作が行なわれると、直ぐに発信側の携帯電話機からの音声を、簡易ページャ機能制御部４１３′によりＲＡＭ４１に蓄積することが可能であり、急な着呼に対して応答できない場合や意図的に応答しない場合などでも、極めて簡単な手順で通信相手からのメッセージなどを蓄積することができるようになる。
【０１９１】
さらに、本実施例におる携帯電話機３０Ｂでも、モードを切り替えるための所要のキー操作が行なわれると、直ぐに呼出し音を「０」にし、その後は、呼出し音調整用の電子ボリューム４５のボリューム音量の値に応じて設定された呼出し音の回数に相当する時間だけ待機したのちに、通信相手からの通話内容などを録音することができるので、留守モードにおける文字情報の蓄積動作を実行させるまでの時間を極めて簡単な手順で設定することができるようになる。
【０１９２】
さらに、本実施例における携帯電話機３０Ｂでも、留守モードに切り替えるための所要のキー操作を行なった時点で、既に留守モード状態である場合は、簡易ページャ機能制御部４１３′により、直ぐに通信相手からの通話内容などの音声録音動作が実行されるので、急な着呼に対しても即座に通信相手からの通話内容を録音することができるようになる。
【０１９３】
なお、上述のように留守モードに切り替えるための所要のキー操作を行なった時点で既に留守モード状態である場合、呼出し音のボリューム音量を「０」に設定してから、着信してきた音声を直ぐにＲＡＭ４１２に蓄積することもできる。
また、本実施例における携帯電話機３０Ｂでも、モードを切り替えるための所要のキー操作を行なうことにより設定された留守モードを、１回の着呼に対してのみ有効にして、その後は通常モードに設定するようにすることができるので、応答したくない着呼などに対してのみ留守モードを設定して、通常の通話を行なわずに通信相手からのメッセージなどの音声を文字情報として留守モード制御部４１′のＲＡＭ４１２などに蓄積することができるようになる。
【０１９４】
さらに、本実施例における携帯電話機３０Ｂでも、上述のように１回の着呼に対してのみ留守モードを実行させるだけでなく、留守モードを実行させたのちもこの留守モードを継続するように設定することができるので、通常の通話を行なわずに通信相手からのメッセージなどの音声を文字情報として留守モード制御部４１′のＲＡＭ４１２などに蓄積したのち、その都度、留守モードを設定しなおすという手間が省ける。
【０１９５】
なお、上述のように、留守モードを１回のみ実行させるためには、留守モードに切り替えるためのキーが押下されたのち、さらに他の任意のキー操作を行なうことによって実行させることができるので、留守モードに切り替えるためのキーを押下したのち、さらにユーザの操作しやすいキーを押下することにより、簡単に該当着呼に対して留守モードを実行させることできるようになる。
【０１９６】
さらに、本実施例における携帯電話機３０Ｂでも、モードを切り替えるための所要のキー操作を行なったのちに、留守モードを実行させる回数を設定するためのキー操作を行なって、留守モード時での留守モードを実行させる回数を設定することができるので、例えば、ある一定の時間の間は着呼に応答できないことが分かっている場合などにおいて、このように留守モードを実行させる回数を予め設定しておけば、この間の着呼の通話内容などを逃すことなく録音できるようになる。また、留守モードを実行させる回数の設定を、キー押下回数によって行なえば、設定の際の操作性も大いに向上する。
【０１９７】
なお、留守モードを実行させることができる最大回数は、文字情報を蓄積するメモリ（本実施例では、ＲＡＭ４１２）の容量などに応じて異なる。
また、本実施例における携帯電話機３０Ｂでも、呼出し音のボリューム音量を下げるためのボリュームダウンキーを押下（操作）することによって、"エニーキー・アンサー"機能を動作させずに留守モードに切り替えることができるので、極めて簡単な操作で留守モードを設定することができるようになる。
【０１９８】
さらに、このとき、ボリュームダウンキー操作を１回行なった場合は、留守モードを実行させて着信してきた通信相手からのメッセージなどの音声を文字情報として蓄積するまでに鳴動させる呼出し音の設定回数（ボリューム連動設定値）を変えず、ボリュームダウンキー操作を複数回行なった場合は、この呼出し音の設定回数を変えるようにすることができるので、通信相手からのメッセージなどを文字情報として蓄積させるまでの時間を、極めて簡単な手順で設定することができるようになる。
【０１９９】
また、本実施例における携帯電話機３０Ｂでも、着呼があった場合に、終話キーを押下することによって"エニーキー・アンサー"機能による応答を行なわずに留守モードを設定して動作させることができるので、この場合も、極めて簡単な手順で留守モードを設定・実行させることができ、これにより、急な着呼に対しても応答したくない場合などには、即座に留守モードに設定して通信相手からのメッセージなどを文字情報として留守モード制御部４１′のＲＡＭ４１２に蓄積することができるようになる。
【０２００】
さらに、本実施例における携帯電話機３０Ｂでも、留守モード設定用の専用キー（機能キー）が設けられている場合、着呼があった場合に、留守モードを設定するための所要のキー操作として、この専用キーを押下するだけで、"エニーキー・アンサー"機能を動作させずに留守モードを設定することができるので、この場合も、極めて簡単な手順で留守モードを設定・実行させることができ、これにより、急な着呼に対しても応答したくない場合などには、即座に留守モードを設定して通信相手からのメッセージなどの音声を文字情報として留守モード制御部４１′のＲＡＭ４１２に蓄積して録音することができるようになる。
【０２０１】
また、本実施例における携帯電話機３０Ｂでも、着呼があった場合に、任意のキーをある一定時間（所定時間）以上継続して押下（操作）することによって、"エニーキー・アンサー"機能による応答を行なわずに、留守モードを設定することができるので、極めて簡単な手順で留守モードを設定することができるとともに、急な着呼に対しても応答したくない場合などには、即座に留守モードを設定・動作させて、着呼してきた通信相手からのメッセージなどの音声を文字情報として蓄積することができるようになる。
【０２０２】
さらに、本実施例における携帯電話機３０Ｂでも、着呼があった場合に、任意のキーをある一定時間（所定時間）内に複数回連続して押下（操作）することによって、"エニーキー・アンサー"機能による応答を行なわずに、留守モードを設定することができるので、この場合も極めて簡単な手順で留守モードを設定することができるとともに、急な着呼に対しても応答したくない場合などには、即座に留守モードを設定・動作させて、着呼してきた通信相手からのメッセージなどの音声を文字情報として蓄積することができるようになる。
【０２０３】
また、本実施例における携帯電話機３０Ｂでも、着呼があった場合に、任意のキーを２つ以上同時に押下（操作）することによって、"エニーキー・アンサー"機能による応答を行なわずに、留守モードを設定することができ、具体的には、任意のキーと呼出し音の音量を調整するボリュームキーとを同時に押下することにより、留守モードまたは通常モードを設定することができるので、特に、携帯電話機のように、配置できるキーの数が制限され留守モード設定専用のキーを設けることができない電話機などでも、極めて簡単な操作で留守モードの設定を行なうことができるようになる。
【０２０４】
さらに、本実施例における携帯電話機３０でも、留守モードが設定されると、着呼があった際の呼出し音のボリューム音量を自動的に「０」に設定し、留守モードが設定されている状態で、呼出し音のボリューム音量を上げることによって、留守モードを解除することができるので、例えば、着呼に応答したくないために留守モードを設定すると、自動的に呼出し音をゼロに設定し、また、着呼に応答したいために呼出し音のボリューム音量を上げると、留守モードが自動的に解除され、これにより利用者の意思に応じて自動的に留守モードの設定・解除を行なうことができるようになり、留守モード設定の操作性も大幅に向上する。
【０２０５】
なお、本実施例における携帯電話機３０Ｂでも、留守モードを設定した場合は、ＣＰＵ３６が送信音声ミュート部４６を制御して携帯電話機３０Ｂからの音声の送信状態をミュート（送信レベルがゼロ）状態にすることができるので、携帯電話機３０Ｂの送信電力を大幅に節約できるようになる。
また、本実施例における携帯電話機３０Ｂでも、携帯電話機３０Ｂ用の電源（図示略）の電圧値と、予めＲＡＭ３４に設定される留守モード用の電圧設定値（留守モード設定用電圧値）とをＣＰＵ３６が比較して、通常モードでの着呼の待受動作中に、携帯電話機３０Ｂ用の電源の電圧値が、この留守モード用の電圧値設定値以下となった場合に、携帯電話機３０のモードを切り替えて留守モードを設定することができる。
【０２０６】
従って、携帯電話機３０Ｂ用の電源の電圧値が留守モード用の設定値以下であると、ＣＰＵ３６が、自動的に、留守モードを設定するので、携帯電話機３０Ｂの消費電力を大幅に節約することができるようになる。
さらに、本実施例における携帯電話機３０Ｂでも、タイマでの計時結果が留守モード用設定値になると、留守モードが設定されるようにすることができるので、ユーザの不在などの理由により携帯電話機３０Ｂが長時間放置されても、自動的に留守モードが設定され、これにより予め留守モードを設定しておくことを忘れた場合でも、着呼してきた通信相手からのメッセージなどを逃すことなく文字情報として蓄積することができるとともに、携帯電話機３０Ｂの消費電力も大幅に節約できるようになる。
【０２０７】
また、本実施例における携帯電話機３０Ｂでも、上述のタイマとして時刻を刻むタイマ（実時間タイマ）を用いることにより、留守モードを設定又は解除する時刻を予め設定しておけば、この指定時刻に、自動的に留守モードの設定又は解除が行なわれるようにすることができるので、特に、予めユーザが不在となる時間が分かっている場合などに、効果的に留守モードを設定することができるようになるとともに、この場合も、携帯電話機３０Ｂの消費電力が大幅に節約できるようになる。
【０２０８】
さらに、本実施例における携帯電話機３０Ｂでも、ＣＰＵ３６内のタイマとして、携帯電話機３０Ｂの発着呼が断となるとともにスタート（トリガ）され所定の時間だけ時間を刻むタイマを用いることにより、携帯電話機３０Ｂの発着呼断後、所定の時間が経過した場合に、自動的に留守モードが設定／解除されるようにすることができるので、ユーザが予め留守モードに設定することを忘れて携帯電話機３０Ｂが長時間放置されることになっても、着呼してきた通信相手からの通話内容などの音声情報を逃すことなく蓄積・録音できるとともに、携帯電話機３０Ｂの消費電力も大幅に節約することができるようになる。
【０２０９】
さらに、本実施例における携帯電話機３０Ｂでも、マイクを通じて入力されるユーザの音声の内容を音声認識制御部４２により識別することができるので、ユーザの音声によって留守モードを設定又は解除することができる。
従って、複雑なキー操作を行なうことなく、音声のみで留守モード及び通常使用モードの設定・解除を行なうことができるので、携帯電話機３０Ｂの操作性が大幅に向上する。
【０２１０】
さらに、本実施例における携帯電話機３０Ｂでも、着呼時に、着呼してきた通信相手に応じた電話番号情報やＩＤなどの識別情報から、着呼してきた通信相手に応じて留守モードを設定又は解除することができるので、着呼してきた応答したい通信相手に対しては通常モードで通常の通話を行ない、応答したくない通信相手に対しては留守モードで通信相手からの通話内容などの音声情報を蓄積・録音することができ、ユーザにとって都合のよい携帯電話機３０Ｂの使用が可能になる。
【０２１１】
（ｃ）第３実施例の説明
図４２は本発明の第３実施例としての携帯電話機（モード切替え式電話機）の構成を示すブロック図であるが、この図４２に示す携帯電話機３０Ｃは、着呼があった場合に通常の通話を行なう通常モード（第１のモード）と、着呼があった場合に着信してきた通信相手の電話機（発信電話機）に対しメッセージを送出してからこの通信相手からの音声を録音（蓄積）する留守録モード（第２のモード）と、着呼があった場合に発信電話機に対しメッセージを送出してから発信電話機からの文字情報（音声以外の情報）を蓄積する簡易ページャモード（第３のモード）との３つのモードを有するもので、このため、この携帯電話機３０Ｃは、第１実施例にて前述した留守録機能制御部４１３と第２実施例にて前述した簡易ページャ機能制御部４１３′とで構成された留守モード制御部４１Ｃを有している。
【０２１２】
なお、４１１Ａ，４１１Ｂはリード・オンリー・メモリ（ＲＯＭ）で、それぞれ留守録機能制御部４１３，簡易ページャ機能制御部４１３′の動作手順などをプログラムしたソフトウェアを保持しておくものである。また、他の各構成部分はそれぞれ第１実施例にて前述したものと同様のものである。
ここで、上述の留守モード制御部４１Ｃは、メインＣＰＵ３６の制御に応じて留守録機能制御部４１３，簡易ページャ機能制御部４１３′のいずれかを起動することにより、発信電話機からのメッセージ（音声）を録音する留守録モードと、発信電話機からのメッセージを文字情報として蓄積する簡易ページャモードとの２つのモードを切り替えるものである。なお、本実施例でも、通常モードとこれら２つのモードとの切替えは、ＣＰＵ３６がバス切替えスイッチ４３をマイク４８側か留守モード制御部４１Ｃ側へ切り替えることによって行なわれるようになっている。
【０２１３】
そして、ＣＰＵ３６により留守録機能制御部４１３が起動された場合は、この留守録機能制御部４１３により、無線部３１を通じて受信した発信電話機からのメッセージが音声情報としてＲＡＭ（音声メモリ）４１２に蓄積・録音され、簡易ページャ機能制御部４１３′が起動された場合は、この簡易ページャ機能制御部４１３′により、無線部３１を通じて受信した発信電話機からのメッセージが文字情報としてＲＡＭ４１２に蓄積されるようになっている。
【０２１４】
このような構成により、本実施例の携帯電話機３０Ｃでは、ＣＰＵ３６により留守録機能制御部４１３が起動されて留守録モードとなっている状態で、発信電話機からのメッセージを音声情報としてＲＡＭ４１２に蓄積して録音している場合に、このＲＡＭ４１２の記憶容量が少なくなり、ある所定値以下になったとＣＰＵ３６が判断すると、ＣＰＵ３６が留守録機能制御部４１３の代わりに簡易ページャ機能制御部４１３を起動して、発信電話機からのメッセージを、音声情報に比べて情報量の少ない文字情報としてＲＡＭ４１２に蓄積することができる。
【０２１５】
以下、上述のような動作について、図４３に示すフローチャート（ステップＳ２４１〜ステップＳ２５１）を参照しながら詳述する。
まず、携帯電話機３０Ｃに着呼があり、この着呼がＣＰＵ３６で検出されると（ステップＳ２４１）、まず、ＣＰＵ３６は、留守録モードが設定されているかどうかの判定を行ない（ステップＳ２４２）、留守録モードが設定されていれば、さらに留守録モード用のメモリ（ＲＡＭ４１２）の記憶容量の残量をチェックして残量があるかどうかの判定を行なう（ステップＳ２４２のＹＥＳルートからステップＳ２４３）。
【０２１６】
そして、まだ、ＲＡＭ４１２の記憶容量に残量があれば、ＣＰＵ３６は、留守録機能制御部４１３を起動して留守録モードを実行させ、発信電話機からのメッセージなどを音声情報としてＲＡＭ４１２に蓄積・録音する（ステップＳ２４３のＮＯルートからステップＳ２４４）。
その後、ＣＰＵ３６は、発信電話機からの通話が終了する際に送信される終話要求を受信したかをチェックし（ステップＳ２４５）、終話要求を受信していれば、通話を終了し（ステップＳ２４５のＹＥＳルートからステップＳ２４９）、終話要求を受信していなければ、さらにＲＡＭ４１２の記憶容量に残量があるかどうかを判定する（ステップＳ２４５のＮＯルートからステップＳ２４３）。
【０２１７】
ここで、ＲＡＭ４１２の記憶容量の残量が少なくなり、ある所定値以下になると、ＣＰＵ３６は、留守録機能制御部４１３の代わりに簡易ページャ機能制御部４１３′を起動し、簡易ページャ機能制御部４１３′は、それまで音声情報としてＲＡＭ４１２に蓄積・録音していた発信電話機からのメッセージなどを、音声情報よりも情報量の少ない文字情報としてＲＡＭ４１２に蓄積してゆく（ステップＳ２４３のＹＥＳルートからステップＳ２４７）。
【０２１８】
その後は、上述のステップＳ２４５と同様に、ＣＰＵ３６が発信電話機からの通話が終了する際に送信される終話要求を受信したかをチェックし（ステップＳ２４８）、終話要求を受信するまで、この簡易ページャモードの実行を継続し（ステップＳ２４８のＮＯルート）、終話要求を受信した時点で発信電話機との通話を終了する（ステップＳ２４８のＹＥＳルートからステップＳ２４９）。
【０２１９】
なお、上述のステップＳ２４２において、留守録モードが設定されていない場合は、ＣＰＵ３６は簡易ページャモードが設定されているかをチェックし（ステップＳ２４２のＮＯルートからステップＳ２５０）、簡易ページャモードが設定されている場合は、上述のステップＳ２４７以降の処理を行なう（ステップＳ２５０のＹＥＳルート）。
また、上述のステップＳ２５０において、簡易ページャモードが設定されていない場合、つまり、着呼があった際、留守録モードも簡易ページャモードも設定されていない場合は、通常モードによる通話が行なわれる（ステップＳ２５０のＮＯルートからステップＳ２５１）。
【０２２０】
このように、本実施例における携帯電話機３０Ｃによれば、留守録モード下で、発信電話機からのメッセージなどの音声をＲＡＭ４１２に蓄積・録音している場合に、ＲＡＭ４１２の記憶容量が少なくなり所定値以下になると、この発信電話機からのメッセージなどの音声をより少ない情報量で表した文字情報としてＲＡＭ４１２に蓄積する簡易ページャモードに切り替えることができるので、ＲＡＭ４１２などの音声メモリの記憶容量を極めて効率的に使用できる。
【０２２１】
なお、実用的には、留守モードが設定されると、まず最初に、音声を蓄積・録音する留守録モードが選択され、その後、ＲＡＭ４１２の記憶容量が所定値以下になると、簡易ページャモードに切り替えることが考えられる。
従って、この場合も、音声情報を優先的にメモリ（ＲＡＭ４１２）に蓄積・録音しつつ、このメモリの記憶容量も極めて効率的に使用できるようになる。
【０２２２】
（ｄ）その他
なお、上述の各実施例（第１実施例〜第３実施例）では、携帯電話機３０，３０Ｂ，３０Ｃにおけるモードの設定について述べたが、本発明は、これに限定されるものではなく、一般家庭に設置されるような固定型の電話機などにも適用することができ、この場合も、上述の各実施例と同様の作用・効果が得られる。
【０２２３】
以上の実施例及び変形例を含む実施形態に関し、さらに以下の付記を開示する。
（ｅ）付記
（付記１）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、着呼の有無を検出する着呼検出手段と、所要のキー操作であるかどうかを検出するキー操作検出手段と、該着呼検出手段によって着呼があったことが検出され、且つ、該キー操作検出手段により、所要のキー操作が行なわれたことが検出されると、前記第２のモードに設定する制御手段とが設けられたことを特徴とする、モード切替え式電話機。
【０２２４】
（付記２）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、着呼があった場合に、所要のキー操作を行なうことにより、前記第２のモードにすることを特徴とする、モード切替え式電話機におけるモード設定方法。
【０２２５】
（付記３）
該所要のキー操作を行なうことにより、該第２のモードにされると、直ぐに情報蓄積動作を実行することを特徴とする、付記２記載のモード切替え式電話機におけるモード設定方法。
（付記４）
該所要のキー操作を行なうことにより、該第２のモードにされると、直ぐに呼出し音をゼロにし、その後は、該電話機の呼出し音調整用ボリュームの値に応じて設定された呼出し音の回数に相当する時間だけ待機したのちに、情報蓄積動作を実行することを特徴とする、付記２記載のモード切替え式電話機におけるモード設定方法。
【０２２６】
（付記５）
該所要のキー操作を行なうことにより設定された該第２のモードは、該当着呼についてのみ有効であることを特徴とする、付記２記載のモード切替え式電話機におけるモード設定方法。
（付記６）
該所要のキー操作がボリュームダウンキー操作であり、該ボリュームダウンキー操作を１回行なった場合は、情報蓄積動作を実行するまでに鳴動させる呼出し音の回数を規定するためのボリューム連動設定値を変えず、該ボリュームダウンキー操作を複数回行なった場合は、該ボリューム連動設定値を変えることを特徴とする、付記２記載のモード切替え式電話機におけるモード設定方法。
【０２２７】
（付記７）
該所要のキー操作が所定時間以上継続して行なわれると、前記第２のモードにすることを特徴とする、付記２記載のモード切替え式電話機におけるモード設定方法。
（付記８）
該所要のキー操作が所定時間内に複数回行なわれると、前記第２のモードにすることを特徴とする、付記２記載のモード切替え式電話機におけるモード設定方法。
【０２２８】
（付記９）
該所要のキー操作が任意の異なるキーを同時に押下する操作であることを特徴とする、付記２記載のモード切替え式電話機におけるモード設定方法。
（付記１０）
該所要のキー操作が任意のキーとボリュームキーとを同時に押下する操作であることを特徴とする、付記９記載のモード切替え式電話機におけるモード設定方法。
【０２２９】
（付記１１）
前記第２のモードに設定すると、呼出し音をゼロに設定することを特徴とする、付記２記載のモード切替え式電話機におけるモード設定方法。
（付記１２）
該呼出し音設定のためのボリュームを上げることにより、前記第２のモードが解除されることを特徴とする、付記１１記載のモード切替え式電話機におけるモード設定方法。
【０２３０】
（付記１３）
前記第２のモードに設定すると、送信状態をミュート状態にすることを特徴とする、付記２記載のモード切替え式電話機におけるモード設定方法。
（付記１４）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、該電話機用の電源の電圧値と第２のモード設定用電圧値とを比較する比較手段と、該比較手段にて、該電源の電圧値が該第２のモード設定用電圧値以下であると判定されると、前記第２のモードにする制御手段とが設けられたことを特徴とする、モード切替え式電話機。
【０２３１】
（付記１５）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、計時手段と、第２のモード設定用計時値を設定する設定手段と、該計時手段での計時結果と該設定手段での該第２のモード設定用計時値とを比較する比較手段と、該比較手段にて、該計時手段での計時結果が該第２のモード設定用計時値になったと判定されると、前記第２のモードにする制御手段とが設けられたことを特徴とする、モード切替え式電話機。
【０２３２】
（付記１６）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、該電話機に計時手段を設け、該計時手段での計時結果と第２のモード設定用計時値とを比較し、該計時手段での計時結果が該第２のモード設定用計時値になると、前記第２のモードにすることを特徴とする、モード切替え式電話機におけるモード設定方法。
【０２３３】
（付記１７）
該計時手段が実時間タイマとして構成され、指定時刻になると、前記第２のモードにすることを特徴とする付記１６記載のモード切替え式電話機におけるモード設定方法。
（付記１８）
該計時手段が発着呼断とともにトリガされるタイマとして構成され、発着呼断後、所定時間が経過すると、前記第２のモードにすることを特徴とする、付記１６記載のモード切替え式電話機におけるモード設定方法。
【０２３４】
（付記１９）
該計時手段が発着呼断とともにトリガされるタイマとして構成され、発着呼断後、所定時間が経過すると、前記第２のモードにする一方、前記第２のモードを設定している状態で、発着呼断後、所定時間が経過すると、前記第２のモードを解除することを特徴とする、付記１６記載のモード切替え式電話機におけるモード設定方法。
【０２３５】
（付記２０）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、音声入力手段と、該音声入力手段を通じて入力された第１のモードあるいは第２のモードの設定・解除のための音声の内容を識別する音声識別手段と、該音声識別手段によって識別された結果に基づき、前記第２のモード及び前記第１のモードの設定・解除を行なう制御手段とをそなえて構成されたことを特徴とする、モード切替え式電話機。
【０２３６】
（付記２１）
着呼があった場合に通常の通話を行なう第１のモードと、着呼があった場合に発信電話機に対しメッセージを送出してから該発信電話機からの情報を蓄積する第２のモードとを有し、これらのモードの切替えが可能な電話機において、通信相手に応じた識別情報に対応して前記第１のモード又は前記第２のモードを設定する識別情報対モード設定手段と、着呼してきた通信相手の識別情報と該識別情報対モード設定手段で設定されている識別情報とを比較する比較手段と、該比較手段での比較結果に基づき、前記第２のモード及び前記第１のモードの設定・解除を行なう制御手段とをそなえて構成されたことを特徴とする、モード切替え式電話機。
【０２３７】
（付記２２）
着呼があった場合に通常の通話を行なう第１のモードと、着呼があった場合に発信電話機に対しメッセージを送出してから該発信電話機からの音声情報を音声メモリに蓄積する第２のモードと、着呼があった場合に該発信電話機に対しメッセージを送出してから該発信電話機からの音声以外の情報を蓄積する第３のモードとを有し、これらのモードの切替えが可能な電話機において、前記第２のモード下で、音声情報を該音声メモリに蓄積している場合に、該音声メモリの記憶容量が所定値以下になると、前記第３のモードに切り替えることを特徴とする、モード切替え式電話機におけるモード切替え方法。
【０２３８】
（付記２３）
着呼があった場合に通常の通話を行なう第１のモードと、着呼があった場合に発信電話機に対しメッセージを送出してから該発信電話機からの音声情報を音声メモリに蓄積する第２のモード及び着呼があった場合に発信電話機に対しメッセージを送出してから該発信電話機からの音声以外の情報を蓄積する第３のモードからなる留守モードとを有し、これらのモードの切替えが可能な電話機において、該留守モードが設定されると、まず最初に、音声情報を該音声メモリに蓄積する前記第２のモードが選択され、その後、該音声メモリの記憶容量が所定値以下になると、前記第３のモードに切り替えることを特徴とする、モード切替え式電話機におけるモード切替え方法。
【符号の説明】
【０２３９】
１，２  電話機
３  ネットワーク
１１  送受信部
１２  モード切替え部
１３  第１のモード設定用ボリューム値
１４  第２のモード設定用ボリューム値
１４Ａ  第２のモード設定用電圧値
１４Ｂ  第２のモード設定用計時値
１５，１５Ｂ，１５Ｄ  比較手段
１６，２４，２４Ａ，２４Ｂ，２４Ｃ，２４Ｄ  制御手段
１７  メモリ
１８  呼出し音調整用ボリューム
１９，４８  マイク（音声入力手段）
２０，４９  スピーカ
２１，５０  ブザー
２２  着呼検出手段
２３  キー操作検出手段
２５  キー
２５Ａ  電源
２６  計時手段
２７  音声識別手段
２８  識別情報対モード設定手段
３０，３０Ｂ，３０Ｃ  携帯電話機（モード切替え式電話機）
３１  無線部
３２  メモリ（ＥＥＰＲＯＭ）
３３，４１１，４１１Ａ，４１１Ｂ  リード・オンリー・メモリ（ＲＯＭ）
３４，４１２  ランダム・アクセス・メモリ（ＲＡＭ）
３５  バックアップ回路
３６  メインＣＰＵ（制御手段，比較手段，着呼検出手段，計時手段）
３７  表示操作部用制御部（キー操作検出手段）
３８  液晶ディスプレイ（ＬＣＤ）
３９  キースイッチ
４０  ベースバンド部
４１，４１′，４１Ｃ  留守モード制御部
４２  音声認識制御部（音声識別手段）
４３  バス切替えスイッチ
４４，４５  電子ボリューム
４６，４７  ミュート部
１２１  第１のモード
１２２  第２のモード
４１３  留守録機能制御部
４１３′  簡易ページャ機能制御部
【図１】
2010263648.tif 000003
【図２】
2010263648.tif 000004
【図３】
2010263648.tif 000005
【図４】
2010263648.tif 000006
【図５】
2010263648.tif 000007
【図６】
2010263648.tif 000008
【図７】
2010263648.tif 000009
【図８】
2010263648.tif 000010
【図９】
2010263648.tif 000011
【図１０】
2010263648.tif 000012
【図１１】
2010263648.tif 000013
【図１２】
2010263648.tif 000014
【図１３】
2010263648.tif 000015
【図１４】
2010263648.tif 000016
【図１５】
2010263648.tif 000017
【図１６】
2010263648.tif 000018
【図１７】
2010263648.tif 000019
【図１８】
2010263648.tif 000020
【図１９】
2010263648.tif 000021
【図２０】
2010263648.tif 000022
【図２１】
2010263648.tif 000023
【図２２】
2010263648.tif 000024
【図２３】
2010263648.tif 000025
【図２４】
2010263648.tif 000026
【図２５】
2010263648.tif 000027
【図２６】
2010263648.tif 000028
【図２７】
2010263648.tif 000029
【図２８】
2010263648.tif 000030
【図２９】
2010263648.tif 000031
【図３０】
2010263648.tif 000032
【図３１】
2010263648.tif 000033
【図３２】
2010263648.tif 000034
【図３３】
2010263648.tif 000035
【図３４】
2010263648.tif 000036
【図３５】
2010263648.tif 000037
【図３６】
2010263648.tif 000038
【図３７】
2010263648.tif 000039
【図３８】
2010263648.tif 000040
【図３９】
2010263648.tif 000041
【図４０】
2010263648.tif 000042
【図４１】
2010263648.tif 000043
【図４２】
2010263648.tif 000044
【図４３】
2010263648.tif 000045
【図４４】
2010263648.tif 000046